(57)【要約】【課題】上下に並ぶ複数の扁平管を備えた熱交換器及びそれを備えた空気調和機において、連通空間から扁平管へ流入する冷媒の偏流を抑制して、熱交換器の性能を十分に発揮させる。【解決手段】室外熱交換器（23）を、蒸発器として機能する際に、互いに直列に接続される二つの熱交換領域（35,37）において、下流側の熱交換領域（35）の熱交換部の数が、上流側の熱交換領域（37）の熱交換部の数以上となり、且つ、最下流の熱交換領域（35）の熱交換部の数が、最上流の熱交換領域（37）の熱交換部の数よりも多くなるように構成する。【選択図】図４
2015055404.tif 000002
【特許請求の範囲】
【請求項１】
上下に並ぶ複数の扁平管（31）と、上記扁平管（31）に接合されたフィン（32）と、複数の上記扁平管（31）の一端が接続された第１ヘッダ集合管（40）（340,370）と、複数の上記扁平管（31）の他端が接続された第２ヘッダ集合管（70）（345,380）とを有し、上下に並ぶ複数の熱交換領域（35,37）（37,135,235）（335,337,365,367）に区分された熱交換器ユニット（30）を少なくとも一つ備え、蒸発器として機能する際に、複数の上記熱交換領域（35,37）（37,135,235）（335,337,365,367）が直列に接続され、上記扁平管（31）を流れる冷媒を空気と熱交換させる熱交換器であって、
上記各熱交換領域（35,37）（37,135,235）（335,337,365,367）は、上下に並ぶ複数の熱交換部にさらに区分され、
上記第１及び第２ヘッダ集合管（40,70）（340,345,370,380）のそれぞれの内部には、複数の上記扁平管（31）と連通する連通空間が上記熱交換部毎に形成され、
上記熱交換器が蒸発器として機能する際に、互いに接続される二つの上記熱交換領域において、下流側の上記熱交換領域（35）（135,235）（335,365,367）の上記熱交換部の数が、上流側の上記熱交換領域（37）（37,235）（337,365,367）の上記熱交換部の数以上となり、且つ、最下流の上記熱交換領域（35）（135）（335）の上記熱交換部の数が、最上流の上記熱交換領域（37）（337）の上記熱交換部の数よりも多くなるように構成されている
ことを特徴とする熱交換器。
【請求項２】
請求項１において、
上記各熱交換領域（35,37）（37,135,235）（335,337,365,367）の上記熱交換部の数が、上記熱交換器が蒸発器として機能する際に、最上流の上記熱交換領域（37）（337）から最下流の上記熱交換領域（35）（135）（335）に向かって段階的に増加するように構成されている
ことを特徴とする熱交換器。
【請求項３】
請求項１又は２において、
上記熱交換器が蒸発器として機能する際に互いに接続される二つの上記熱交換領域であって、上流側よりも下流側の方が上記熱交換部の数が多い二つの上記熱交換領域（35,37）（135,235）（335,365）において、下流側の上記熱交換領域（35）（135）（335）の上記熱交換部の数が、上流側の上記熱交換領域（37）（235）（365）の上記熱交換部の数の倍数となるように構成されている
ことを特徴とする熱交換器。
【請求項４】
請求項３において、
上記熱交換器が蒸発器として機能する際に互いに接続される二つの上記熱交換領域であって、上流側よりも下流側の方が上記熱交換部の数が多い二つの上記熱交換領域（35,37）（135,235）（335,365）の間には、上流側の上記熱交換領域（37）（235）（365）の上記各熱交換部と下流側の上記熱交換領域（35）（135）（335）の互いに異なる複数の上記熱交換部とを接続する分岐管（110,120,130）が設けられている
ことを特徴とする熱交換器。
【請求項５】
請求項１乃至４のいずれか一つにおいて、
上記各熱交換領域（35,37）（37,135,235）（335,337,365,367）において、上記扁平管（31）の数が最も多い上記熱交換部が、最も下側に配置されている
ことを特徴とする熱交換器。
【請求項６】
請求項１乃至５のいずれか一つにおいて、
上記熱交換器ユニット（30）は複数設けられ、
上記熱交換器が蒸発器として機能する際に、複数の上記熱交換器ユニット（30）の全ての上記熱交換領域（35,37）（37,135,235）（335,337,365,367）が直列に接続される
ことを特徴とする熱交換器。
【請求項７】
請求項１乃至６のいずれか一つに記載の熱交換器（23）が設けられた冷媒回路（20）を備え、
上記冷媒回路（20）において冷媒を循環させて冷凍サイクルを行うことを特徴とする空気調和機。
【発明の詳細な説明】
【技術分野】
【０００１】
本発明は、扁平管とフィンを有して冷媒と空気を熱交換させる熱交換器及び空気調和機に関するものである。
【背景技術】
【０００２】
従来より、上下に並ぶ複数の扁平管と、該扁平管に接合されたフィンと、複数の扁平管の一端と他端とにそれぞれ接続された二つのヘッダ集合管とを備えて冷媒と空気を熱交換させる熱交換器が知られている（例えば、下記特許文献１を参照）。
【０００３】
特許文献１に開示された熱交換器は、上下に並ぶ二つの熱交換領域に区分されている。また、二つの熱交換領域は、それぞれ上下に並ぶ三つの熱交換部にさらに区分される。二つの熱交換領域は、熱交換器が蒸発器として機能する際に直列に接続され、下方の補助熱交換領域の各補助熱交換部から上方の主熱交換領域の対応する主熱交換部へ順に冷媒が流れる。
【０００４】
一方、二つのヘッダ集合管のそれぞれの内部には、複数の扁平管と連通する連通空間が熱交換部毎に形成されている。上記熱交換器では、各連通空間に流入した冷媒が、該連通空間に連通する上下に並んだ複数の扁平管へ分配され、各扁平管を流れる際に空気と熱交換する。
【先行技術文献】
【特許文献】
【０００５】
【特許文献１】特開２０１３−１３７１９３号公報
【発明の概要】
【発明が解決しようとする課題】
【０００６】
ところで、上記熱交換器が蒸発器として機能する際には、気液二相状態の冷媒が各熱交換部の連通空間に流入し、該連通空間において冷媒が上下に並ぶ複数の扁平管に分配される。複数の扁平管に分配された冷媒は、空気と熱交換して蒸発する。ここで、液冷媒の密度は、ガス冷媒の密度よりも大きい。そのため、上述のように、連通空間から上下に並ぶ複数の扁平管に冷媒を分配する場合、重力によってガス冷媒と液冷媒とが分離され、下方の扁平管ばかりに液冷媒が流れ、上方の扁平管にはガス冷媒ばかりが流れる偏流が生じ易い。また、熱交換器が蒸発器として機能する際に、下流側の主熱交換領域に流入する冷媒は、上流側の補助熱交換領域に流入する冷媒に比べて全体に占めるガス冷媒の比率が高くなる。そのため、下流側の主熱交換部の連通空間では、上流側の補助熱交換部の連通空間より、偏流が生じ易く、下流側の熱交換部の上部では、湿り度の小さい冷媒が流入するために、扁平管を流れる冷媒が途中でガス単相状態となるおそれがあった。過熱状態のガス冷媒が流れる領域は、蒸発器としての機能を殆ど果たさないため、過熱状態のガス冷媒が流れる領域が形成されることによって、熱交換器の性能が充分に発揮されなくなるおそれがあった。
【０００７】
本発明は、かかる点に鑑みてなされたものであり、その目的は、上下に並ぶ複数の扁平管を備えた熱交換器及びそれを備えた空気調和機において、連通空間から扁平管へ流入する冷媒の偏流を抑制して、熱交換器の性能を十分に発揮させることにある。
【課題を解決するための手段】
【０００８】
第１の発明は、上下に並ぶ複数の扁平管（31）と、上記扁平管（31）に接合されたフィン（32）と、複数の上記扁平管（31）の一端が接続された第１ヘッダ集合管（40）（340,370）と、複数の上記扁平管（31）の他端が接続された第２ヘッダ集合管（70）（345,380）とを有し、上下に並ぶ複数の熱交換領域（35,37）（37,135,235）（335,337,365,367）に区分された熱交換器ユニット（30）を少なくとも一つ備え、蒸発器として機能する際に、複数の上記熱交換領域（35,37）（37,135,235）（335,337,365,367）が直列に接続され、上記扁平管（31）を流れる冷媒を空気と熱交換させる熱交換器であって、上記各熱交換領域（35,37）（37,135,235）（335,337,365,367）は、上下に並ぶ複数の熱交換部にさらに区分され、上記第１及び第２ヘッダ集合管（40,70）（340,345,370,380）のそれぞれの内部には、複数の上記扁平管（31）と連通する連通空間が上記熱交換部毎に形成され、上記熱交換器が蒸発器として機能する際に、互いに接続される二つの上記熱交換領域において、下流側の上記熱交換領域（35）（135,235）（335,365,367）の上記熱交換部の数が、上流側の上記熱交換領域（37）（37,235）（337,365,367）の上記熱交換部の数以上となり、且つ、最下流の上記熱交換領域（35）（135）（335）の上記熱交換部の数が、最上流の上記熱交換領域（37）（337）の上記熱交換部の数よりも多くなるように構成されている。
【０００９】
第１の発明では、熱交換器が蒸発器として機能する際に、複数の熱交換領域（35,37）（37,135,235）（335,337,365,367）が直列に接続される。このとき、互いに接続される二つの熱交換領域の下流側の熱交換領域（35）（135,235）（335,365,367）の熱交換部の数が、上流側の熱交換領域（37）（37,235）（337,365,367）の熱交換部の数以上となり、最下流の熱交換領域（35）（135）（335）の熱交換部の数が、最上流の熱交換領域（37）（337）の熱交換部の数よりも多くなる。これに伴い、熱交換器が蒸発器として機能する際に、最下流の熱交換領域（35）（135）（335）の熱交換部の数が、最上流の熱交換領域（37）（337）の熱交換部の数と同数である場合に比べて、最下流の熱交換領域（35）（135）（335）の連通空間の数が多くなるため、該連通空間に連通する扁平管（31）の数が少なくなり、該連通空間の高さが低くなる。熱交換器が蒸発器として機能する際に、最下流の熱交換領域（35）（135）（335）の各連通空間では最も偏流が生じ易いが、上述のように、最下流の熱交換領域（35）（135）（335）の各連通空間の高さを低減することで、ガス冷媒と液冷媒とが分離され難くなり、最下流の熱交換領域（35）（135）（335）の各連通空間において冷媒の偏流が生じ難くなる。
【００１０】
第２の発明は、第１の発明において、上記各熱交換領域（35,37）（37,135,235）（335,337,365,367）の上記熱交換部の数が、上記熱交換器が蒸発器として機能する際に、最上流の上記熱交換領域（37）（337）から最下流の上記熱交換領域（35）（135）（335）に向かって段階的に増加するように構成されている。
【００１１】
第２の発明では、各熱交換領域（35,37）（37,135,235）（335,337,365,367）における連通空間の数が、熱交換器が蒸発器として機能する際に、最上流の熱交換領域（37）（337）から最下流の熱交換領域（35）（135）（335）に向かって段階的に多くなる。そのため、熱交換器が蒸発器として機能する際に直列に接続された複数の熱交換領域（35,37）（37,135,235）（335,337,365,367）において、下流側の熱交換領域ほど偏流が生じ易くなるところ、下流側の熱交換領域ほど各連通空間の高さが低くなるため、該連通空間における冷媒の偏流が抑制される。
【００１２】
第３の発明は、第１又は第２の発明において、上記熱交換器が蒸発器として機能する際に互いに接続される二つの上記熱交換領域であって、上流側よりも下流側の方が上記熱交換部の数が多い二つの上記熱交換領域（35,37）（135,235）（335,365）において、下流側の上記熱交換領域（35）（135）（335）の上記熱交換部の数が、上流側の上記熱交換領域（37）（235）（365）の上記熱交換部の数の倍数となるように構成されている。
【００１３】
第３の発明では、熱交換器が蒸発器として機能する際に、上流側の熱交換領域（37）（235）（365）よりも下流側の熱交換領域（35）（135）（335）の方が熱交換部の数の多い二つの熱交換領域（35,37）（135,235）（335,365）において、下流側の熱交換領域（35）（135）（335）の熱交換部の数が、上流側の熱交換領域（37）（235）（365）の熱交換部の数の倍数となるように構成されている。
【００１４】
第４の発明は、第３の発明において、上記熱交換器が蒸発器として機能する際に互いに接続される二つの上記熱交換領域であって、上流側よりも下流側の方が上記熱交換部の数が多い二つの上記熱交換領域（35,37）（135,235）（335,365）の間には、上流側の上記熱交換領域（37）（235）（365）の上記各熱交換部と下流側の上記熱交換領域（35）（135）（335）の互いに異なる複数の上記熱交換部とを接続する分岐管（110,120,130）が設けられている。
【００１５】
第４の発明では、熱交換器が蒸発器として機能する際に、上流側の熱交換領域（37）（235）（365）よりも下流側の熱交換領域（35）（135）（335）の方が熱交換部の数の多い二つの熱交換領域（35,37）（135,235）（335,365）の間に分岐管（110,120,130）が設けられている。熱交換器が蒸発器として機能する際に、上流側の熱交換領域（37）（235）（365）の各熱交換部を流れた冷媒は、分岐管（110,120,130）によって分流されて下流側の熱交換領域（35）（135）（335）の複数の熱交換部に流入する。
【００１６】
第５の発明は、第１乃至第４のいずれか一つの発明において、上記各熱交換領域（35,37）（37,135,235）（335,337,365,367）において、上記扁平管（31）の数が最も多い上記熱交換部が、最も下側に配置されている。
【００１７】
ところで、熱交換器が蒸発器として機能する際に、各熱交換領域（35,37）（37,135,235）（335,337,365,367）において、下側に配置された熱交換部ほど、液冷媒が多く流入し易い。一方、連通空間に連通する扁平管（31）の数が増えると、連通空間の高さが増大するため、連通する扁平管（31）の数が多い連通空間は、連通する扁平管（31）の数が少ない連通空間に比べて、室外熱交換器（23）が蒸発器として機能する際に冷媒の偏流が生じ易くなる。
【００１８】
そこで、第５の発明では、熱交換領域（35,37）（37,135,235）（335,337,365,367）の複数の熱交換部の間で扁平管（31）の数が異なる場合に、扁平管（31）の数が多く、熱交換器が蒸発器として機能する際に、連通空間において冷媒の偏流が生じ易い熱交換部を、液冷媒が多く流入し易い下側に配置することとしている。そのため、熱交換器が蒸発器として機能する際に冷媒の偏流が生じ易い熱交換部の連通空間に液冷媒が多く流入するため、冷媒の偏流が抑制される。
【００１９】
第６の発明は、第１乃至第５のいずれか一つの発明において、上記熱交換器ユニット（30）は複数設けられ、上記熱交換器が蒸発器として機能する際に、複数の上記熱交換器ユニット（30）の全ての上記熱交換領域（35,37）（37,135,235）（335,337,365,367）が直列に接続される。
【００２０】
第６の発明では、熱交換器ユニットが複数設けられ、熱交換器が蒸発器として機能する際に、複数の熱交換器ユニットの全ての熱交換領域が直列に接続される。
【００２１】
第７の発明は、空気調和機（10）を対象とし、上記第１〜第６のいずれか一つの発明の熱交換器（23）が設けられた冷媒回路（20）を備え、上記冷媒回路（20）において冷媒を循環させて冷凍サイクルを行うものである。
【００２２】
第７の発明では、上記第１〜第６のいずれか一つの発明の熱交換器（23）が冷媒回路（20）に接続される。熱交換器（23）において、冷媒回路（20）を循環する冷媒は、扁平管（31）を通過する間に空気と熱交換する。
【発明の効果】
【００２３】
第１乃至第６の発明によれば、熱交換器が蒸発器として機能する際に、互いに接続される二つの熱交換領域の下流側の熱交換領域（35）（135,235）（335,365,367）の熱交換部の数が、上流側の熱交換領域（37）（37,235）（337,365,367）の熱交換部の数以上となり、最下流の熱交換領域（35）（135）（335）の熱交換部の数が、最上流の熱交換領域（37）（337）の熱交換部の数よりも多くなるように構成することとした。これに伴い、熱交換器が蒸発器として機能する際に、最下流の熱交換領域（35）（135）（335）の熱交換部の数が最上流の熱交換領域（37）（337）の熱交換部の数と同数である場合に比べて、最下流の熱交換領域（35）（135）（335）の連通空間の数が多くなるため、該連通空間に連通する扁平管（31）の数が少なくなり、該連通空間の高さが低くなる。熱交換器が蒸発器として機能する際に、最下流の熱交換領域（35）（135）（335）の各連通空間では最も偏流が生じ易いが、上述のように、最下流の熱交換領域（35）（135）（335）の各連通空間の高さを低減することで、ガス冷媒と液冷媒とが分離され難くなり、最下流の熱交換領域（35）（135）（335）の各連通空間において冷媒の偏流が生じ難くなる。従って、第１乃至第６の発明によれば、熱交換器が蒸発器として機能する際に冷媒の偏流が最も生じ易い最下流の熱交換領域（35）（135）（335）の各連通空間において冷媒の偏流を抑制することができるため、熱交換器の性能を十分に発揮させることができる。
【００２４】
また、上記熱交換器が蒸発器として機能する際に、冷媒の流入量が少ない場合には、複数の扁平管（31）に冷媒を分流する連通空間において冷媒が特に偏流し易くなる。そのため、上述のような構成によれば、冷媒の流入量が少ない場合に、偏流を抑制して熱交換器の性能を十分に発揮させる効果がより顕著となる。
【００２５】
また、第２の発明によれば、各熱交換領域（35,37）（37,135,235）（335,337,365,367）の熱交換部の数が、熱交換器が蒸発器として機能する際に、最上流の熱交換領域（37）（337）から最下流の熱交換領域（35）（135）（335）に向かって段階的に増加するように構成することとした。そのため、熱交換器が蒸発器として機能する際に直列に接続された複数の熱交換領域（35,37）（37,135,235）（335,337,365,367）において、下流側の熱交換領域ほど偏流が生じ易くなるところ、下流側の熱交換領域ほど連通空間の数が多くなるため、該連通空間における冷媒の偏流を効果的に抑制することができる。従って、熱交換器の性能を十分に発揮させることができる。
【００２６】
また、第４の発明によれば、熱交換器が蒸発器として機能する際に、上流側の熱交換領域（37）（235）（365）よりも下流側の熱交換領域（35）（135）（335）の方が熱交換部の数の多い二つの熱交換領域（35,37）（135,235）（335,365）の間に、上流側の熱交換領域（37）（235）（365）の各熱交換部と下流側の熱交換領域（35）（135）（335）の互いに異なる複数の熱交換部とを接続する分岐管（110,120,130）を設けることとした。そのため、熱交換器が蒸発器として機能する際に、下流側の熱交換領域（35）（135）（335）の方が上流側の熱交換領域（37）（235）（365）よりも熱交換部の数が多い構成を、容易に実現することができる。
【００２７】
また、第５の発明によれば、熱交換領域（35,37）（37,135,235）（335,337,365,367）の複数の熱交換部の間で扁平管（31）の数が異なる場合に、扁平管（31）の数が多く、熱交換器が蒸発器として機能する際に、連通空間において冷媒の偏流が生じ易い熱交換部を、液冷媒が多く流入し易い下側に配置することとした。そのため、熱交換器が蒸発器として機能する際に冷媒の偏流が生じ易い熱交換部の連通空間に液冷媒が多く流入するため、該連通空間における冷媒の偏流を抑制することができる。従って、熱交換器の性能を十分に発揮させることができる。
【図面の簡単な説明】
【００２８】
【図１】図１は、実施形態１の室外熱交換器を備えた空気調和機の概略構成を示す冷媒回路図である。
【図２】図２は、実施形態１の室外熱交換器の概略構成を示す斜視図である。
【図３】図３は、実施形態１の熱交換器ユニットを示す概略の斜視図であって、室外熱交換器が凝縮器として機能する場合の冷媒の流れを示すものである。
【図４】図４は、実施形態１の熱交換器ユニットを示す概略の斜視図であって、室外熱交換器が蒸発器として機能する場合の冷媒の流れを示すものである。
【図５】図５は、実施形態１の熱交換器ユニットを正面から見た一部断面図である。
【図６】図６は、図５のVI−VI断面の一部を拡大して示す熱交換器ユニットの断面図である。
【図７】図７は、実施形態１の熱交換器ユニットの第１ヘッダ集合管の下側空間付近を正面から見た拡大断面図である。
【図８】図８は、実施形態２の熱交換器ユニットを示す概略の側面図であって、室外熱交換器が凝縮器として機能する場合の冷媒の流れを示すものである。
【図９】図９は、実施形態２の熱交換器ユニットを示す概略の側面図であって、室外熱交換器が蒸発器として機能する場合の冷媒の流れを示すものである。
【図１０】図１０は、実施形態３の熱交換器ユニットを示す概略の斜視図であって、室外熱交換器が凝縮器として機能する場合の冷媒の流れを示すものである。
【図１１】図１１は、実施形態３の熱交換器ユニットを示す概略の斜視図であって、室外熱交換器が蒸発器として機能する場合の冷媒の流れを示すものである。
【発明を実施するための形態】
【００２９】
本発明の実施形態を図面に基づいて詳細に説明する。なお、以下で説明する実施形態及び変形例は、本質的に好ましい例示であって、本発明、その適用物、あるいはその用途の範囲を制限することを意図するものではない。
【００３０】
《発明の実施形態１》
本発明の実施形態１について説明する。本実施形態の熱交換器は、空気調和機（10）に設けられた室外熱交換器（23）である。以下では、先ず空気調和機（10）について説明し、その後に室外熱交換器（23）について詳細に説明する。
【００３１】
−空気調和機−
空気調和機（10）について、図１を参照しながら説明する。
【００３２】
〈空気調和機の構成〉
空気調和機（10）は、室外ユニット（11）及び室内ユニット（12）を備えている。室外ユニット（11）と室内ユニット（12）は、液側連絡配管（13）及びガス側連絡配管（14）を介して互いに接続されている。空気調和機（10）では、室外ユニット（11）、室内ユニット（12）、液側連絡配管（13）及びガス側連絡配管（14）によって、冷媒回路（20）が形成されている。
【００３３】
冷媒回路（20）には、圧縮機（21）と、四方切換弁（22）と、室外熱交換器（23）と、膨張弁（24）と、室内熱交換器（25）とが設けられている。圧縮機（21）、四方切換弁（22）、室外熱交換器（23）、及び膨張弁（24）は、室外ユニット（11）に収容されている。室外ユニット（11）には、室外熱交換器（23）へ室外空気を供給するための室外ファン（15）が設けられている。一方、室内熱交換器（25）は、室内ユニット（12）に収容されている。室内ユニット（12）には、室内熱交換器（25）へ室内空気を供給するための室内ファン（16）が設けられている。
【００３４】
冷媒回路（20）は、冷媒が充填された閉回路である。冷媒回路（20）において、圧縮機（21）は、その吐出管が四方切換弁（22）の第１のポートに、その吸入管が四方切換弁（22）の第２のポートに、それぞれ接続されている。また、冷媒回路（20）では、四方切換弁（22）の第３のポートから第４のポートへ向かって順に、室外熱交換器（23）と、膨張弁（24）と、室内熱交換器（25）とが配置されている。この冷媒回路（20）において、室外熱交換器（23）は、配管（17）を介して膨張弁（24）に接続され、配管（18）を介して四方切換弁（22）の第３のポートに接続される。
【００３５】
圧縮機（21）は、スクロール型又はロータリ型の全密閉型圧縮機である。四方切換弁（22）は、第１のポートが第３のポートと連通し且つ第２のポートが第４のポートと連通する第１状態（図１に実線で示す状態）と、第１のポートが第４のポートと連通し且つ第２のポートが第３のポートと連通する第２状態（図１に破線で示す状態）とに切り換わる。膨張弁（24）は、いわゆる電子膨張弁である。
【００３６】
室外熱交換器（23）は、室外空気を冷媒と熱交換させる。室外熱交換器（23）については後述する。一方、室内熱交換器（25）は、室内空気を冷媒と熱交換させる。室内熱交換器（25）は、円管である伝熱管を備えたいわゆるクロスフィン型のフィン・アンド・チューブ熱交換器によって構成されている。
【００３７】
〈空気調和機の運転動作〉
空気調和機（10）は、冷房運転と暖房運転を選択的に行う。
【００３８】
冷房運転中の冷媒回路（20）では、四方切換弁（22）を第１状態に設定した状態で、冷凍サイクルが行われる。この状態では、室外熱交換器（23）、膨張弁（24）、室内熱交換器（25）の順に冷媒が循環し、室外熱交換器（23）が凝縮器として機能し、室内熱交換器（25）が蒸発器として機能する。室外熱交換器（23）では、圧縮機（21）から流入したガス冷媒が室外空気へ放熱して凝縮し、凝縮後の冷媒が膨張弁（24）へ向けて流出してゆく。
【００３９】
暖房運転中の冷媒回路（20）では、四方切換弁（22）を第２状態に設定した状態で、冷凍サイクルが行われる。この状態では、室内熱交換器（25）、膨張弁（24）、室外熱交換器（23）の順に冷媒が循環し、室内熱交換器（25）が凝縮器として機能し、室外熱交換器（23）が蒸発器として機能する。室外熱交換器（23）には、膨張弁（24）を通過する際に膨張して気液二相状態となった冷媒が流入する。室外熱交換器（23）へ流入した冷媒は、室外空気から吸熱して蒸発し、その後に圧縮機（21）へ向けて流出してゆく。
【００４０】
−室外熱交換器−
室外熱交換器（23）について、図２〜７を適宜参照しながら説明する。なお、以下の説明に示す扁平管（31）の本数は、単なる一例である。
【００４１】
図２に示すように、室外熱交換器（23）は、空気熱交換器であり、一つの熱交換器ユニット（30）を備えている。
【００４２】
図３及び図５にも示すように、熱交換器ユニット（30）は、一つの第１ヘッダ集合管（40）と、一つの第２ヘッダ集合管（70）と、多数の扁平管（31）と、多数のフィン（32）とを備えている。第１ヘッダ集合管（40）、第２ヘッダ集合管（70）、扁平管（31）及びフィン（32）は、何れもアルミニウム合金製の部材であって、互いにロウ付けによって接合されている。
【００４３】
なお、詳しくは後述するが、熱交換器ユニット（30）は、上下に二つの領域に区分されている。そして、熱交換器ユニット（30）は、上側の領域が主熱交換領域（35）となり、下側の領域が補助熱交換領域（37）となっている。
【００４４】
第１ヘッダ集合管（40）と第２ヘッダ集合管（70）は、何れも両端が閉塞された細長い円筒状に形成されている。図５において、第１ヘッダ集合管（40）は熱交換器ユニット（30）の右端に、第２ヘッダ集合管（70）は熱交換器ユニット（30）の左端に、それぞれ起立した状態で設置されている。つまり、第１ヘッダ集合管（40）及び第２ヘッダ集合管（70）は、それぞれの軸方向が上下方向となる状態で設置されている。
【００４５】
図６に示すように、扁平管（31）は、その断面形状が扁平な長円形となった伝熱管である。図５に示すように、熱交換器ユニット（30）において、複数の扁平管（31）は、それぞれの軸方向が左右方向となり、それぞれの側面のうち平坦な部分が対向する状態で配置されている。また、複数の扁平管（31）は、互いに一定の間隔をおいて上下に並んで配置され、互いの軸方向が実質的に平行となっている。各扁平管（31）は、その一端が第１ヘッダ集合管（40）に挿入され、その他端が第２ヘッダ集合管（70）に挿入されている。熱交換器ユニット（30）に設けられた扁平管（31）は、管列（50）を構成している。
【００４６】
図６に示すように、各扁平管（31）には、複数の流体通路（175）が形成されている。各流体通路（175）は、扁平管（31）の軸方向に延びる通路であって、扁平管（31）の幅方向に一列に並んでいる。各流体通路（175）は、扁平管（31）の両端面に開口している。熱交換器ユニット（30）へ供給された冷媒は、扁平管（31）の流体通路（175）を流れる間に空気と熱交換する。
【００４７】
図６に示すように、フィン（32）は、金属板をプレス加工することによって形成された縦長の板状フィンである。フィン（32）には、フィン（32）の前縁（即ち、風上側の縁部）からフィン（32）の幅方向に延びる細長い切り欠き部（186）が、多数形成されている。フィン（32）では、多数の切り欠き部（186）が、フィン（32）の長手方向（上下方向）に一定の間隔で形成されている。切り欠き部（186）の風下寄りの部分は、管挿入部（187）を構成している。扁平管（31）は、フィン（32）の管挿入部（187）に挿入され、管挿入部（187）の周縁部とロウ付けによって接合される。また、フィン（32）には、伝熱を促進するためのルーバー（185）が形成されている。そして、複数のフィン（32）は、扁平管（31）の軸方向に一定の間隔をおいて配列されている。
【００４８】
図３及び図５に示すように、熱交換器ユニット（30）は、上下に二つの熱交換領域（35,37）に区分されている。熱交換器ユニット（30）は、上側の熱交換領域が主熱交換領域（35）であり、下側の熱交換領域が補助熱交換領域（37）である。
【００４９】
熱交換器ユニット（30）に設けられた扁平管（31）は、主熱交換領域（35）に位置するものが主列部（51）を構成し、補助熱交換領域（37）に位置するものが補助列部（54）を構成する。つまり、管列（50）を構成する扁平管（31）は、その一部が補助列部（54）を構成し、残りが主列部（51）を構成する。詳しくは後述するが、補助列部（54）を構成する扁平管（31）の本数は、主列部（51）を構成する扁平管（31）の本数よりも少ない。
【００５０】
主熱交換領域（35）は、上下に六つの主熱交換部（36a〜36f）に区分されている。一方、補助熱交換領域（37）は、上下に三つの補助熱交換部（38a〜38c）に区分されている。なお、ここに示した主熱交換部（36a〜36f）及び補助熱交換部（38a〜38c）の数は、単なる一例である。
【００５１】
主熱交換領域（35）には、下から上に向かって順に、第１主熱交換部（36a）と、第２主熱交換部（36b）と、第３主熱交換部（36c）と、第４主熱交換部（36d）と、第５主熱交換部（36e）と、第６主熱交換部（36f）とが形成されている。第１主熱交換部（36a）には、十二本の扁平管（31）が設けられ、第２〜第６主熱交換部（36b〜36f）には、十一本の扁平管（31）が設けられている。つまり、本実施形態では、六つの主熱交換部（36a〜36f）のうちの最も扁平管（31）の数の多い第１主熱交換部（36a）が、主熱交換領域（35）において最も下側に配置されている。
【００５２】
第１主熱交換部（36a）に設けられた十二本の扁平管（31）は、第１主列ブロック（52a）を構成する。第２主熱交換部（36b）に設けられた十一本の扁平管（31）は、第２主列ブロック（52b）を構成する。第３主熱交換部（36c）に設けられた十一本の扁平管（31）は、第３主列ブロック（52c）を構成する。第４主熱交換部（36d）に設けられた十一本の扁平管（31）は、第４主列ブロック（52d）を構成する。第５主熱交換部（36e）に設けられた十一本の扁平管（31）は、第５主列ブロック（52e）を構成する。第６主熱交換部（36f）に設けられた十一本の扁平管（31）は、第６主列ブロック（52f）を構成する。
【００５３】
第１主列ブロック（52a）及び第２主列ブロック（52b）は、第１主列ブロック群（53a）を構成する。第３主列ブロック（52c）及び第４主列ブロック（52d）は、第２主列ブロック群（53b）を構成する。第５主列ブロック（52e）及び第６主列ブロック（52f）は、第３主列ブロック群（53c）を構成する。
【００５４】
補助熱交換領域（37）には、下から上に向かって順に、第１補助熱交換部（38a）と、第２補助熱交換部（38b）と、第３補助熱交換部（38c）とが形成されている。各補助熱交換部（38a〜38c）には、三本の扁平管（31）が設けられている。
【００５５】
第１補助熱交換部（38a）に設けられた三本の扁平管（31）は、第１補助列ブロック（55a）を構成する。第２補助熱交換部（38b）に設けられた三本の扁平管（31）は、第２補助列ブロック（55b）を構成する。第３補助熱交換部（38c）に設けられた三本の扁平管（31）は、第３補助列ブロック（55c）を構成する。なお、各補助列ブロック（55a〜55c）を構成する扁平管（31）の本数は、互いに一致していなくてもよい。
【００５６】
図５に示すように、第１ヘッダ集合管（40）の内部空間は、仕切板（41）によって上下に仕切られている。第１ヘッダ集合管（40）は、仕切板（41）の上側の空間が上側空間（42）となり、仕切板（41）の下側の空間が下側空間（43）となっている。
【００５７】
上側空間（42）は、主列部（51）を構成する全ての扁平管（31）、即ち、主熱交換領域（35）の全ての扁平管（31）と連通する。つまり、第１ヘッダ集合管（40）の内部では、主熱交換領域（35）の熱交換部（36a〜36f）毎に形成された連通空間が互いに連通して一つの上側空間（42）を構成している。第１ヘッダ集合管（40）のうち上側空間（42）を形成する部分には、ガス側接続管（102）が接続されている。このガス側接続管（102）には、冷媒回路（20）を構成する配管（18）が接続される。
【００５８】
第１ヘッダ集合管（40）のうち下側空間（43）を形成する部分には、液側接続管（101）が接続される。この液側接続管（101）には、冷媒回路（20）を構成する配管（17）が接続される。詳しくは後述するが、第１ヘッダ集合管（40）のうち下側空間（43）を形成する部分は、冷媒を三つの補助熱交換部（38a〜38c）へ分配するための分流器（150）を構成する。
【００５９】
図５に示すように、第２ヘッダ集合管（70）の内部空間は、仕切板（71）によって上下に仕切られている。第２ヘッダ集合管（70）は、仕切板（71）の上側の空間が上側空間（72）となり、仕切板（71）の下側の空間が下側空間（73）となっている。
【００６０】
上側空間（72）は、五枚の仕切板（74）によって、六つの主連通空間（75a〜75f）に仕切られている。つまり、第２ヘッダ集合管（70）における仕切板（71）の上側には、下から上へ向かって順に、第１主連通空間（75a）と、第２主連通空間（75b）と、第３主連通空間（75c）と、第４主連通空間（75d）と、第５主連通空間（75e）と、第６主連通空間（75f）とが形成されている。
【００６１】
第１主連通空間（75a）には、第１主列ブロック（52a）を構成する第１主熱交換部（36a）の十二本の扁平管（31）が連通する。第２主連通空間（75b）には、第２主列ブロック（52b）を構成する第２主熱交換部（36b）の十一本の扁平管（31）が連通する。第３主連通空間（75c）には、第３主列ブロック（52c）を構成する第３主熱交換部（36c）の十一本の扁平管（31）が連通する。第４主連通空間（75d）には、第４主列ブロック（52d）を構成する第４主熱交換部（36d）の十一本の扁平管（31）が連通する。第５主連通空間（75e）には、第５主列ブロック（52e）を構成する第５主熱交換部（36e）の十一本の扁平管（31）が連通する。第６主連通空間（75f）には、第６主列ブロック（52f）を構成する第６主熱交換部（36f）の十一本の扁平管（31）が連通する。
【００６２】
下側空間（73）は、二枚の仕切板（76）によって、三つの補助連通空間（77a〜77c）に仕切られている。つまり、第２ヘッダ集合管（70）における仕切板（71）の下側には、下から上へ向かって順に、第１補助連通空間（77a）と、第２補助連通空間（77b）と、第３補助連通空間（77c）とが形成されている。
【００６３】
第１補助連通空間（77a）には、第１補助列ブロック（55a）を構成する第１補助熱交換部（38a）の三本の扁平管（31）が連通する。第２補助連通空間（77b）には、第２補助列ブロック（55b）を構成する第２補助熱交換部（38b）の三本の扁平管（31）が連通する。第３補助連通空間（77c）には、第３補助列ブロック（55c）を構成する第３補助熱交換部（38c）の三本の扁平管（31）が連通する。
【００６４】
第２ヘッダ集合管（70）には、三本の接続用分岐配管（110,120,130）が取り付けられている。各接続用分岐配管（110,120,130）は、一つの主管部（111,121,131）と、主管部（111,121,131）の端部に接続する二つの分岐管部（112a,112b,122a,122b,132a,132b）とを備えている。
【００６５】
第１接続用分岐配管（110）は、第１補助列ブロック（55a）と第１主列ブロック群（53a）とを接続する。具体的に、第１接続用分岐配管（110）は、主管部（111）の開口端が第１補助連通空間（77a）と連通し、一方の分岐管部（112a）の開口端が第１主連通空間（75a）と連通し、他方の分岐管部（112b）の開口端が第２主連通空間（75b）と連通する。従って、第１補助連通空間（77a）は、第１主列ブロック（52a）に対応する第１主連通空間（75a）と、第２主列ブロック（52b）に対応する第２主連通空間（75b）の両方に接続される。
【００６６】
第２接続用分岐配管（120）は、第２補助列ブロック（55b）と第２主列ブロック群（53b）とを接続する。具体的に、第２接続用分岐配管（120）は、主管部（121）の開口端が第２補助連通空間（77b）と連通し、一方の分岐管部（122a）の開口端が第３主連通空間（75c）と連通し、他方の分岐管部（122b）の開口端が第４主連通空間（75d）と連通する。従って、第２補助連通空間（77b）は、第３主列ブロック（52c）に対応する第３主連通空間（75c）と、第４主列ブロック（52d）に対応する第４主連通空間（75d）の両方に接続される。
【００６７】
第３接続用分岐配管（130）は、第３補助列ブロック（55c）と第３主列ブロック群（53c）とを接続する。具体的に、第３接続用分岐配管（130）は、主管部（131）の開口端が第３補助連通空間（77c）と連通し、一方の分岐管部（132a）の開口端が第５主連通空間（75e）と連通し、他方の分岐管部（132b）の開口端が第６主連通空間（75f）と連通する。従って、第３補助連通空間（77c）は、第５主列ブロック（52e）に対応する第５主連通空間（75e）と、第６主列ブロック（52f）に対応する第６主連通空間（75f）の両方に接続される。
【００６８】
なお、上記第１〜第３接続用分岐配管（110,120,130）は、主管部（111,121,131）に絞りを有さず、冷媒を減圧せずに分流するものであり、所謂分流器と異なるものである。
【００６９】
〈分流器の構成〉
上述したように、第１ヘッダ集合管（40）のうち下側空間（43）を形成する部分は、分流器（150）を構成する。この分流器（150）は、室外熱交換器（23）が蒸発器として機能する場合に、室外熱交換器（23）へ供給された気液二相状態の冷媒を三つの補助熱交換部（38a〜38c）へ分配する。ここでは、分流器（150）について、図７を参照しながら説明する。
【００７０】
下側空間（43）には、二枚の横仕切板（160,162）と、一枚の縦仕切板（164）とが設けられている。下側空間（43）は、二枚の横仕切板（160,162）と一枚の縦仕切板（164）とによって、三つの連通室（151〜153）と一つの混合室（154）と二つの中間室（155,156）とに仕切られる。
【００７１】
具体的に、各横仕切板（160,162）は、下側空間（43）を横断するように配置され、下側空間（43）を上下に仕切る。下側横仕切板（160）は、第１補助列ブロック（55a）と第２補助列ブロック（55b）の間に配置され、上側横仕切板（162）は、第２補助列ブロック（55b）と第３補助列ブロック（55c）の間に配置される。縦仕切板（164）は、細長い長方形板状の部材である。縦仕切板（164）は、第１ヘッダ集合管（40）の軸方向に沿って配置され、下側空間（43）を扁平管（31）側と液側接続管（101）側に仕切る。
【００７２】
下側空間（43）のうち下側横仕切板（160）の下側の部分は、縦仕切板（164）によって、扁平管（31）側の第１連通室（151）と液側接続管（101）側の下側中間室（155）に仕切られる。第１連通室（151）は、第１補助列ブロック（55a）を構成する三本の扁平管（31）と連通する。
【００７３】
下側空間（43）のうち下側横仕切板（160）と上側横仕切板（162）の間の部分は、縦仕切板（164）によって、扁平管（31）側の第２連通室（152）と液側接続管（101）側の混合室（154）に仕切られる。第２連通室（152）は、第２補助列ブロック（55b）を構成する三本の扁平管（31）と連通する。混合室（154）は、液側接続管（101）と連通する。
【００７４】
下側空間（43）のうち上側横仕切板（162）よりも上側の部分は、縦仕切板（164）によって、扁平管（31）側の第３連通室（153）と液側接続管（101）側の上側中間室（156）に仕切られる。第３連通室（153）は、第３補助列ブロック（55c）を構成する三本の扁平管（31）と連通する。
【００７５】
縦仕切板（164）の上部と下部には、連通孔（165a,165b）が一つずつ形成されている。各連通孔（165a,165b）は、横長の長方形状の貫通孔である。縦仕切板（164）の下部の連通孔（165b）は、縦仕切板（164）のうち下側横仕切板（160）よりも下側の部分の下端付近に形成され、第１連通室（151）を下側中間室（155）と連通させる。縦仕切板（164）の上部の連通孔（165a）は、縦仕切板（164）のうち上側横仕切板（162）よりも上側の部分の下端付近に形成され、第３連通室（153）を上側中間室（156）と連通させる。
【００７６】
下側横仕切板（160）は、混合室（154）に面する部分に流量調節孔（161）が形成されている。第１連通室（151）は、この流量調節孔（161）を介して混合室（154）と連通する。上側横仕切板（162）は、混合室（154）に面する部分に流量調節孔（163）が形成されている。第３連通室（153）は、この流量調節孔（163）を介して混合室（154）と連通する。縦仕切板（164）は、混合室（154）に面する部分の下端付近に流量調節孔（166）が形成されている。第２連通室（152）は、この流量調節孔（166）を介して混合室（154）と連通する。
【００７７】
分流器（150）において、下側横仕切板（160）の流量調節孔（161）と、上側横仕切板（162）の流量調節孔（163）と、縦仕切板（164）の流量調節孔（166）とは、比較的小径の円形の貫通孔である。分流器（150）は、各補助列ブロック（55a〜55c）へ冷媒が所定の割合で分配されるように、これら流量調節孔（161,163,166）の開口面積（具体的には、直径）が設定されている。
【００７８】
〈室外熱交換器における冷媒の流れ／凝縮器の場合〉
空気調和機（10）の冷房運転中には、室外熱交換器（23）が凝縮器として機能する。冷房運転中における室外熱交換器（23）での冷媒の流れを説明する。
【００７９】
室外熱交換器（23）には、圧縮機（21）から吐出されたガス冷媒が、配管（18）を通じて供給される。図３に示すように、配管（18）からガス側接続管（102）へ供給された冷媒は、主熱交換領域（35）の各主熱交換部（36a〜36c）と、補助熱交換領域（37）の各補助熱交換部（38a〜38c）とを順に通過し、液側接続管（101）を通って配管（17）へ流出してゆく。
【００８０】
室外熱交換器（23）における冷媒の流れを詳しく説明する。
【００８１】
図５に示すように、ガス側接続管（102）から第１ヘッダ集合管（40）の上側空間（42）へ流入したガス単相状態の冷媒は、各主列ブロック（52a〜52f）を構成する各主熱交換部（36a〜36f）の扁平管（31）へ分かれて流入する。主列ブロック（52a〜52f）の扁平管（31）を流れる冷媒は、室外熱交換器（23）へ供給された室外空気と熱交換する。各主列ブロック（52a〜52f）の扁平管（31）を通過した冷媒は、第２ヘッダ集合管（70）の対応する主連通空間（75a〜75f）へ流入する。第１主列ブロック（52a）の複数の扁平管（31）を通過した冷媒は、第１主連通空間（75a）へ入って合流する。第２主列ブロック（52b）の複数の扁平管（31）を通過した冷媒は、第２主連通空間（75b）へ入って合流する。第３主列ブロック（52c）の複数の扁平管（31）を通過した冷媒は、第３主連通空間（75c）へ入って合流する。第４主列ブロック（52d）の複数の扁平管（31）を通過した冷媒は、第４主連通空間（75d）へ入って合流する。第５主列ブロック（52e）の複数の扁平管（31）を通過した冷媒は、第５主連通空間（75e）へ入って合流する。第６主列ブロック（52f）の複数の扁平管（31）を通過した冷媒は、第６主連通空間（75f）へ入って合流する。
【００８２】
第１主連通空間（75a）及び第２主連通空間（75b）の冷媒は、第１接続用分岐配管（110）を通って第１補助連通空間（77a）へ流入する。第３主連通空間（75c）及び第４主連通空間（75d）の冷媒は、第２接続用分岐配管（120）を通って第２補助連通空間（77b）へ流入する。第５主連通空間（75e）及び第６主連通空間（75f）の冷媒は、第３接続用分岐配管（130）を通って第３補助連通空間（77c）へ流入する。
【００８３】
各補助連通空間（77a〜77c）の冷媒は、対応する補助列ブロック（55a〜55c）の扁平管（31）へ流入する。第１補助連通空間（77a）の冷媒は、第１補助列ブロック（55a）の扁平管（31）へ流入する。第２補助連通空間（77b）の冷媒は、第２補助列ブロック（55b）の扁平管（31）へ流入する。第３補助連通空間（77c）の冷媒は、第３補助列ブロック（55c）の扁平管（31）へ流入する。
【００８４】
各補助列ブロック（55a〜55c）の扁平管（31）を流れる冷媒は、室外熱交換器（23）へ供給された室外空気と熱交換する。各補助列ブロック（55a〜55c）の扁平管（31）を通過した冷媒は、対応する連通室（151〜153）へ流入する。第１補助列ブロック（55a）の複数の扁平管（31）を通過した冷媒は、第１連通室（151）へ入って合流する。第２補助列ブロック（55b）の複数の扁平管（31）を通過した冷媒は、第２連通室（152）へ入って合流する。第３補助列ブロック（55c）の複数の扁平管（31）を通過した冷媒は、第３連通室（153）へ入って合流する。各連通室（151〜153）の冷媒は、混合室（154）へ入って合流し、その後に液側接続管（101）を通って室外熱交換器（23）から流出してゆく。
【００８５】
〈室外熱交換器における冷媒の流れ／蒸発器の場合〉
空気調和機（10）の暖房運転中には、室外熱交換器（23）が蒸発器として機能する。暖房運転中における室外熱交換器（23）での冷媒の流れを説明する。
【００８６】
室外熱交換器（23）には、膨張弁（24）を通過する際に膨張して気液二相状態となった冷媒が、配管（17）を通じて供給される。図４に示すように、配管（17）から液側接続管（101）へ供給された冷媒は、補助熱交換領域（37）の各補助熱交換部（38a〜38c）と、主熱交換領域（35）の各主熱交換部（36a〜36c）とを順に通過し、ガス側接続管（102）を通って配管（18）へ流出してゆく。
【００８７】
室外熱交換器（23）における冷媒の流れを詳しく説明する。
【００８８】
図５に示すように、液側接続管（101）から混合室（154）へ流入した気液二相状態の冷媒は、三つの連通室（151〜153）に分配され、その後、各連通室（151〜153）に対応する補助列ブロック（55a〜55c）の扁平管（31）へ流入する。補助列ブロック（55a〜55c）の扁平管（31）を流れる冷媒は、室外熱交換器（23）へ供給された室外空気と熱交換する。各補助列ブロック（55a〜55c）の三本の扁平管（31）を通過した冷媒は、各補助列ブロック（55a〜55c）に対応する第２ヘッダ集合管（70）の補助連通空間（77a〜77c）へ入って合流する。
【００８９】
第１補助連通空間（77a）から第１接続用分岐配管（110）の主管部（111）へ流入した冷媒は、その一部が一方の分岐管部（112a）を通って第１主連通空間（75a）へ、残りが他方の分岐管部（112b）を通って第２主連通空間（75b）へ、それぞれ流入する。第２補助連通空間（77b）から第２接続用分岐配管（120）の主管部（121）へ流入した冷媒は、その一部が一方の分岐管部（122a）を通って第３主連通空間（75c）へ、残りが他方の分岐管部（122b）を通って第４主連通空間（75d）へ、それぞれ流入する。第３補助連通空間（77c）から第３接続用分岐配管（130）の主管部（131）へ流入した冷媒は、その一部が一方の分岐管部（132a）を通って第５主連通空間（75e）へ、残りが他方の分岐管部（132b）を通って第６主連通空間（75f）へ、それぞれ流入する。
【００９０】
第２ヘッダ集合管（70）の各主連通空間（75a〜75f）へ流入した冷媒は、各主連通空間（75a〜75f）に対応する主列ブロック（52a〜52f）の扁平管（31）へ流入する。第１主連通空間（75a）の冷媒は、第１主列ブロック（52a）を構成する第１主熱交換部（36a）の扁平管（31）へ流入する。第２主連通空間（75b）の冷媒は、第２主列ブロック（52b）を構成する第２主熱交換部（36b）の扁平管（31）へ流入する。第３主連通空間（75c）の冷媒は、第３主列ブロック（52c）を構成する第３主熱交換部（36c）の扁平管（31）へ流入する。第４主連通空間（75d）の冷媒は、第４主列ブロック（52d）を構成する第４主熱交換部（36d）の扁平管（31）へ流入する。第５主連通空間（75e）の冷媒は、第５主列ブロック（52e）を構成する第５主熱交換部（36e）の扁平管（31）へ流入する。第６主連通空間（75f）の冷媒は、第６主列ブロック（52f）を構成する第６主熱交換部（36f）の扁平管（31）へ流入する。
【００９１】
各主列ブロック（52a〜52f）の扁平管（31）を流れる冷媒は、室外熱交換器（23）へ供給された室外空気と熱交換する。各主列ブロック（52a〜52f）の複数の扁平管（31）を通過した冷媒は、第１ヘッダ集合管（40）の上側空間（42）へ入って合流し、その後にガス側接続管（102）を通って室外熱交換器（23）から流出してゆく。
【００９２】
以上の構成により、実施形態１では、室外熱交換器（23）が蒸発器として機能する際に、補助熱交換領域（37）と主熱交換領域（35）とが直列に接続され、該補助熱交換領域（37）と主熱交換領域（35）との間において、各熱交換領域（35,37）の熱交換部（36a〜36f,38a〜38c）の数が、倍増する。つまり、室外熱交換器（23）が蒸発器として機能する際に、下流側の主熱交換領域（35）の熱交換部（36a〜36f）の数は六つであり、上流側の補助熱交換領域（37）の熱交換部（38a〜38c）の数（三つ）よりも多く、倍数となっている。
【００９３】
−実施形態１の効果−
本実施形態１の室外熱交換器（23）によれば、蒸発器として機能する際に、最下流の主熱交換領域（35）の熱交換部（36a〜36f）の数が、最上流の補助熱交換領域（37）の熱交換部（38a〜38c）の数よりも多くなるように構成することとした。これに伴い、主熱交換領域（35）の熱交換部の数が補助熱交換領域（37）の熱交換部の数と同数である場合に比べて、主熱交換領域（35）における連通空間（75a〜75f）の数が多くなるため、該連通空間（75a〜75f）に連通する扁平管（31）の数が少なくなり、該連通空間（75a〜75f）の高さが低くなる。室外熱交換器（23）が蒸発器として機能する際に、最下流の主熱交換領域（35）の各連通空間（75a〜75f）では最も偏流が生じ易いが、上述のように、主熱交換領域（35）の各連通空間（75a〜75f）の高さを低減することで、ガス冷媒と液冷媒とが分離され難くなり、主熱交換領域（35）の各連通空間（75a〜75f）において冷媒の偏流が生じ難くなる。従って、本実施形態１の室外熱交換器（23）によれば、蒸発器として機能する際に冷媒の偏流が最も生じ易い最下流の主熱交換領域（35）の各連通空間（75a〜75f）において冷媒の偏流を抑制することができるため、室外熱交換器（23）の性能を十分に発揮させることができる。
【００９４】
また、上記室外熱交換器（23）が蒸発器として機能する際に、冷媒の流入量が少ない場合には、複数の扁平管（31）に冷媒を分流する連通空間において特に冷媒が偏流し易くなる。そのため、上述のような構成によれば、冷媒の流入量が少ない場合に、偏流を抑制して室外熱交換器（23）の性能を十分に発揮させる効果がより顕著となる。
【００９５】
また、本実施形態１の室外熱交換器（23）によれば、蒸発器として機能する際に、上流側の補助熱交換領域（37）の各熱交換部（38a〜38c）と下流側の主熱交換領域（35）の互いに異なる二つの熱交換部（36a〜36f）とが接続されるように接続用分岐配管（分岐管）（110,120,130）を設けることとした。そのため、室外熱交換器（23）が蒸発器として機能する際に下流側の補助熱交換領域（37）の方が上流側の主熱交換領域（35）よりも熱交換部の数が多い構成を、容易に実現することができる。
【００９６】
また、本実施形態１の室外熱交換器（23）によれば、熱交換領域（35）の複数の熱交換部（36a〜36f）で扁平管（31）の数が異なる場合に、扁平管（31）の数が多く、室外熱交換器（23）が蒸発器として機能する際に偏流が生じ易い熱交換部（36a）を、室外熱交換器（23）が蒸発器として機能する際に液冷媒が多く流入し易い下側に配置することとした。そのため、室外熱交換器（23）が蒸発器として機能する際に、偏流が生じ易い扁平管（31）の数の多い熱交換部（36a）の連通空間（75a）に冷媒が多く流入するため、該連通空間（75a）における冷媒の偏流を抑制することができる。従って、室外熱交換器（23）の性能を十分に発揮させることができる。
【００９７】
また、本実施形態１の室外熱交換器（23）では、熱交換器ユニット（30）が、六つの主熱交換部（36a〜36f）が一纏まりに構成された主熱交換領域（35）と、三つの補助熱交換部（38a〜38c）が一纏まりに構成された補助熱交換領域（37）とに区分されていた。しかしながら、各補助熱交換部（38a〜38c）と対応する主熱交換部（36a〜36f）とを接続する各接続用分岐配管（110,120,130）の長さを等しくするためには、上記配置ではなく、該各接続用分岐配管（110,120,130）によって接続される熱交換部どうしを上下に配置することが考えられる。具体的には、第１主熱交換部（36a）の下方に第１補助熱交換部（38a）を区画し、第３主熱交換部（36c）の下方に第２補助熱交換部（38b）を区画し、第５主熱交換部（36e）の下方に第３補助熱交換部（38c）を区画する。しかしながら、室外熱交換器（23）が凝縮器として機能する際に直列に接続される主熱交換部（36a〜36f）と補助熱交換部（38a〜38c）とでは、扁平管（31）を流れる温度が補助熱交換部（38a〜38c）の方が低くなる。そのため、主熱交換部（36a〜36f）と補助熱交換部（38a〜38c）とが相隣る箇所では、両者の間において熱交換がなされるため、このような箇所が多い程、凝縮器としての性能が低下する。従って、本実施形態１の室外熱交換器（23）のように、熱交換器ユニット（30）を、主熱交換領域（35）と補助熱交換領域（37）との二つの熱交換領域（35,37）に区分して、主熱交換部（36a〜36f）と補助熱交換部（38a〜38c）とが相隣る箇所を一つに制限することにより、凝縮器として機能する際に、主熱交換部（36a〜36f）と補助熱交換部（38a〜38c）との間における熱交換を最小限に抑制することができる。よって、凝縮器としての性能の低下を抑制することができる。
【００９８】
《発明の実施形態２》
本発明の実施形態２について説明する。実施形態１の室外熱交換器（23）の熱交換器ユニット（30）は、上下に二つの領域に区分され、上側の領域が主熱交換領域（35）となり、下側の領域が補助熱交換領域（37）となっていた。実施形態２では、図８及び図９に示すように、熱交換器ユニット（30）が、上下に三つの領域に区分されている。
【００９９】
実施形態２では、実施形態１と同様に、熱交換器ユニット（30）は、一つの第１ヘッダ集合管（40）と、一つの第２ヘッダ集合管（70）と、多数の扁平管（31）と、多数のフィン（32）とを備えている。一方、実施形態２では、上述のように、熱交換器ユニット（30）は、上下に三つの領域に区分されている。熱交換器ユニット（30）では、上から下へ向かって、上側主熱交換領域（135）と、下側主熱交換領域（235）と、補助熱交換領域（37）とが順に並んでいる。
【０１００】
上側主熱交換領域（135）には、下から上に向かって順に、第１上側主熱交換部（136a）と、第２上側主熱交換部（136b）と、第３上側主熱交換部（136c）と、第４上側主熱交換部（136d）と、第５上側主熱交換部（136e）と、第６上側主熱交換部（136f）とが形成されている。図８及び図９では、図示を省略するが、第１上側主熱交換部（136a）には、十二本の扁平管（31）が設けられ、第２〜第６上側主熱交換部（136b〜136f）には、十一本の扁平管（31）が設けられている。
【０１０１】
下側主熱交換領域（235）には、下から上に向かって順に、第１下側主熱交換部（236a）と、第２下側主熱交換部（236b）と、第３下側主熱交換部（236c）とが形成されている。図８及び図９では、図示を省略するが、第１下側主熱交換部（236a）には、十二本の扁平管（31）が設けられ、第２及び第３下側主熱交換部（236b,236f）には、十一本の扁平管（31）が設けられている。
【０１０２】
補助熱交換領域（37）には、下から上に向かって順に、第１補助熱交換部（38a）と、第２補助熱交換部（38b）と、第３補助熱交換部（38c）とが形成されている。図８及び図９では、図示を省略するが、各補助熱交換部（38a〜38c）には、三本の扁平管（31）が設けられている。
【０１０３】
第１ヘッダ集合管（40）の内部空間は、仕切板（41）によって上下に仕切られている。第１ヘッダ集合管（40）は、仕切板（41）の上側の空間が上側空間（42）となり、仕切板（41）の下側の空間が下側空間（43）となっている。また、上側空間（42）は、仕切板（141）によって上下に仕切られている。仕切板（141）の上側の空間が第１上側空間（142）となり、仕切板（141）の下側の空間が第２上側空間（143）となっている。
【０１０４】
第１上側空間（142）は、五枚の仕切板（144）によって、六つの上側主連通空間（142a〜142f）に仕切られている。つまり、第１ヘッダ集合管（40）における仕切板（141）の上側には、下から上へ向かって順に、第１上側主連通空間（142a）と、第２上側主連通空間（142b）と、第３上側主連通空間（142c）と、第４上側主連通空間（142d）と、第５上側主連通空間（142e）と、第６上側主連通空間（142f）とが形成されている。
【０１０５】
第１上側主連通空間（142a）には、第１上側主熱交換部（136a）の十二本の扁平管（31）が連通する。第２上側主連通空間（142b）には、第２上側主熱交換部（136b）の十一本の扁平管（31）が連通する。第３上側主連通空間（142c）には、第３上側主熱交換部（136c）の十一本の扁平管（31）が連通する。第４上側主連通空間（142d）には、第４上側主熱交換部（136d）の十一本の扁平管（31）が連通する。第５上側主連通空間（142e）には、第５上側主熱交換部（136e）の十一本の扁平管（31）が連通する。第６上側主連通空間（142f）には、第６上側主熱交換部（136f）の十一本の扁平管（31）が連通する。
【０１０６】
一方、第２上側空間（143）は、二枚の仕切板（145）によって、三つの下側主連通空間（143a〜143c）に仕切られている。つまり、第１ヘッダ集合管（40）における仕切板（141）の下側には、下から上へ向かって順に、第１下側主連通空間（143a）と、第２下側主連通空間（143b）と、第３下側主連通空間（143c）とが形成されている。
【０１０７】
第１ヘッダ集合管（40）のうち下側空間（43）を形成する部分には、液側接続管（101）が接続される。この液側接続管（101）には、冷媒回路（20）を構成する配管（17）が接続されている。実施形態１と同様に、第１ヘッダ集合管（40）のうち下側空間（43）を形成する部分は、冷媒を三つの補助熱交換部（38a〜38c）へ分配するための分流器（150）を構成している。分流器（150）は、実施形態１と同様に構成され、下側空間（343）は、三つの連通室（151〜153）と一つの混合室（154）と二つの中間室（155,156）とが区画されている。
【０１０８】
また、第１ヘッダ集合管（40）には、三本の接続用分岐配管（110,120,130）が取り付けられている。各接続用分岐配管（110,120,130）は、一つの主管部（111,121,131）と、主管部（111,121,131）の端部に接続する二つの分岐管部（112a,112b,122a,122b,132a,132b）とを備えている。
【０１０９】
第１接続用分岐配管（110）は、第１下側主熱交換部（236a）と第１上側主熱交換部（136a）及び第２上側主熱交換部（136b）とを接続する。具体的に、第１接続用分岐配管（110）は、主管部（111）の開口端が第１下側主連通空間（143a）と連通し、一方の分岐管部（112a）の開口端が第１上側主連通空間（142a）と連通し、他方の分岐管部（112b）の開口端が第２上側主連通空間（142b）と連通する。従って、第１下側主連通空間（143a）は、第１上側主熱交換部（136a）の第１上側主連通空間（142a）と、第２上側主熱交換部（136b）の第２上側主連通空間（142b）の両方に接続される。
【０１１０】
第２接続用分岐配管（120）は、第２下側主熱交換部（236b）と第３上側主熱交換部（136c）及び第４上側主熱交換部（136d）とを接続する。具体的に、第２接続用分岐配管（120）は、主管部（121）の開口端が第２下側主連通空間（143b）と連通し、一方の分岐管部（122a）の開口端が第３上側主連通空間（142c）と連通し、他方の分岐管部（122b）の開口端が第４上側主連通空間（142d）と連通する。従って、第２下側主連通空間（143b）は、第３上側主熱交換部（136c）の第３上側主連通空間（142c）と、第４上側主熱交換部（136d）の第４上側主連通空間（142d）の両方に接続される。
【０１１１】
第３接続用分岐配管（130）は、第３下側主熱交換部（236c）と第５上側主熱交換部（136e）及び第６上側主熱交換部（136f）とを接続する。具体的に、第３接続用分岐配管（130）は、主管部（131）の開口端が第３下側主連通空間（143c）と連通し、一方の分岐管部（132a）の開口端が第５上側主連通空間（142e）と連通し、他方の分岐管部（132b）の開口端が第６上側主連通空間（142f）と連通する。従って、第３下側主連通空間（143c）は、第５上側主熱交換部（136e）の第５上側主連通空間（142e）と、第６上側主熱交換部（136f）の第６上側主連通空間（142f）の両方に接続される。
【０１１２】
第２ヘッダ集合管（70）の内部空間は、仕切板（71）によって上下に仕切られている。第２ヘッダ集合管（70）は、仕切板（71）の上側の空間が上側空間（72）となり、仕切板（71）の下側の空間が下側空間（73）となっている。また、上側空間（72）は、仕切板（171）によって上下に仕切られている。仕切板（171）の上側の空間が第１上側空間（172）となり、仕切板（171）の下側の空間が第２上側空間（173）となっている。
【０１１３】
第１上側空間（172）は、上側主熱交換領域（135）の全ての扁平管（31）、即ち、上側主熱交換領域（135）の全ての扁平管（31）と連通する。つまり、第２ヘッダ集合管（70）の内部では、上側主熱交換領域（135）の熱交換部（136a〜136f）毎に形成された連通空間が互いに連通して一つの第１上側空間（172）を構成している。第２ヘッダ集合管（70）のうち第１上側空間（172）を形成する部分には、ガス側接続管（102）が接続されている。このガス側接続管（102）には、冷媒回路（20）を構成する配管（18）が接続される。
【０１１４】
一方、第２上側空間（173）は、二枚の仕切板（174）によって、三つの下側主連通空間（173a〜173c）に仕切られている。つまり、第２ヘッダ集合管（70）における二枚の仕切板（71,171）の間には、下から上へ向かって順に、第１下側主連通空間（173a）と、第２下側主連通空間（173b）と、第３下側主連通空間（173c）とが形成されている。
【０１１５】
第１下側主連通空間（173a）には、第１下側主熱交換部（236a）の十二本の扁平管（31）が連通する。第２下側主連通空間（173b）には、第２下側主熱交換部（236b）の十一本の扁平管（31）が連通する。第３下側主連通空間（173c）には、第３下側主熱交換部（236c）の十一本の扁平管（31）が連通する。
【０１１６】
下側空間（73）は、二枚の仕切板（76）によって、三つの補助連通空間（77a〜77c）に仕切られている。つまり、第２ヘッダ集合管（70）における仕切板（71）の下側には、下から上へ向かって順に、第１補助連通空間（77a）と、第２補助連通空間（77b）と、第３補助連通空間（77c）とが形成されている。
【０１１７】
第１補助連通空間（77a）には、第１補助熱交換部（38a）の三本の扁平管（31）が連通する。第２補助連通空間（77b）には、第２補助熱交換部（38b）の三本の扁平管（31）が連通する。第３補助連通空間（77c）には、第３補助熱交換部（38c）の三本の扁平管（31）が連通する。
【０１１８】
第２ヘッダ集合管（70）には、三本の接続用配管（103,104,105）が取り付けられている。第１接続用配管（103）は、第１補助熱交換部（38a）と第１下側主熱交換部（236a）とを接続する。具体的に、第１接続用配管（103）は、一方の開口端が第１補助連通空間（77a）と連通し、他方の開口端が第１下側主連通空間（173a）と連通する。第２接続用配管（104）は、第２補助熱交換部（38b）と第２下側主熱交換部（236b）とを接続する。具体的に、第２接続用配管（104）は、一方の開口端が第２補助連通空間（77b）と連通し、他方の開口端が第２下側主連通空間（173b）と連通する。第３接続用配管（105）は、第３補助熱交換部（38c）と第３下側主熱交換部（236c）とを接続する。具体的に、第３接続用配管（105）は、一方の開口端が第３補助連通空間（77c）と連通し、他方の開口端が第３下側主連通空間（173c）と連通する。
【０１１９】
〈室外熱交換器における冷媒の流れ／凝縮器の場合〉
空気調和機（10）の冷房運転中には、室外熱交換器（23）が凝縮器として機能する。冷房運転中における室外熱交換器（23）での冷媒の流れを説明する。
【０１２０】
室外熱交換器（23）には、圧縮機（21）から吐出されたガス冷媒が、配管（18）を通じて供給される。図８に示すように、配管（18）からガス側接続管（102）へ供給された冷媒は、上側主熱交換領域（135）の各上側主熱交換部（136a〜136f）と、下側主熱交換領域（235）の各下側主熱交換部（236a〜236c）と、補助熱交換領域（37）の各補助熱交換部（38a〜38c）とを順に通過し、液側接続管（101）を通って配管（17）へ流出してゆく。
【０１２１】
具体的には、ガス側接続管（102）から第２ヘッダ集合管（70）の第１上側空間（172）へ流入したガス単相状態の冷媒は、各上側主熱交換部（136a〜136f）の扁平管（31）へ分かれて流入する。各上側主熱交換部（136a〜136f）の扁平管（31）を流れる冷媒は、室外熱交換器（23）へ供給された室外空気と熱交換する。
【０１２２】
各上側主熱交換部（136a〜136f）の扁平管（31）を通過した冷媒は、第１ヘッダ集合管（40）の対応する上側主連通空間（142a〜142f）へ流入する。第１上側主熱交換部（136a）の複数の扁平管（31）を通過した冷媒は、第１上側主連通空間（142a）へ入って合流する。第２上側主熱交換部（136b）の複数の扁平管（31）を通過した冷媒は、第２上側主連通空間（142b）へ入って合流する。第３上側主熱交換部（136c）の複数の扁平管（31）を通過した冷媒は、第３上側主連通空間（142c）へ入って合流する。第４上側主熱交換部（136d）の複数の扁平管（31）を通過した冷媒は、第４上側主連通空間（142d）へ入って合流する。第５上側主熱交換部（136e）の複数の扁平管（31）を通過した冷媒は、第５上側主連通空間（142e）へ入って合流する。第６上側主熱交換部（136f）の複数の扁平管（31）を通過した冷媒は、第６上側主連通空間（142f）へ入って合流する。
【０１２３】
第１上側主連通空間（142a）及び第２上側主連通空間（142b）の冷媒は、第１接続用分岐配管（110）を通って第１下側主連通空間（143a）へ流入する。第３上側主連通空間（142c）及び第４上側主連通空間（142d）の冷媒は、第２接続用分岐配管（120）を通って第２下側主連通空間（143b）へ流入する。第５上側主連通空間（142e）及び第６上側主連通空間（142f）の冷媒は、第３接続用分岐配管（130）を通って第３下側主連通空間（143c）へ流入する。
【０１２４】
各下側主連通空間（143a〜143c）の冷媒は、対応する下側主熱交換部（236a〜236c）の扁平管（31）へ流入する。第１下側主連通空間（143a）の冷媒は、第１下側主熱交換部（236a）の扁平管（31）へ流入する。第２下側主連通空間（143b）の冷媒は、第２下側主熱交換部（236b）の扁平管（31）へ流入する。第３下側主連通空間（143c）の冷媒は、第３下側主熱交換部（236c）の扁平管（31）へ流入する。
【０１２５】
各下側主熱交換部（236a〜236c）の扁平管（31）を流れる冷媒は、室外熱交換器（23）へ供給された室外空気と熱交換する。各下側主熱交換部（236a〜236c）の扁平管（31）を通過した冷媒は、第２ヘッダ集合管（70）の対応する下側主連通空間（173a〜173c）へ流入する。第１下側主熱交換部（236a）の複数の扁平管（31）を通過した冷媒は、第１下側主連通空間（173a）へ入って合流する。第２下側主熱交換部（236b）の複数の扁平管（31）を通過した冷媒は、第２下側主連通空間（173b）へ入って合流する。第３下側主熱交換部（236c）の複数の扁平管（31）を通過した冷媒は、第３下側主連通空間（173c）へ入って合流する。
【０１２６】
第１下側主連通空間（173a）の冷媒は、第１接続用配管（103）を通って第１補助連通空間（77a）へ流入する。第２下側主連通空間（173b）の冷媒は、第２接続用配管（104）を通って第２補助連通空間（77b）へ流入する。第３下側主連通空間（173c）の冷媒は、第３接続用配管（105）を通って第３補助連通空間（77c）へ流入する。
【０１２７】
各補助連通空間（77a〜77c）の冷媒は、対応する補助熱交換部（38a〜38c）の扁平管（31）へ流入する。第１補助連通空間（77a）の冷媒は、第１補助熱交換部（38a）の扁平管（31）へ流入する。第２補助連通空間（77b）の冷媒は、第２補助熱交換部（38b）の扁平管（31）へ流入する。第３補助連通空間（77c）の冷媒は、第３補助熱交換部（38c）の扁平管（31）へ流入する。
【０１２８】
各補助熱交換部（38a〜38c）の扁平管（31）を流れる冷媒は、室外熱交換器（23）へ供給された室外空気と熱交換する。各補助熱交換部（38a〜38c）の扁平管（31）を通過した冷媒は、対応する連通室（151〜153）へ流入する。第１補助熱交換部（38a）の複数の扁平管（31）を通過した冷媒は、第１連通室（151）へ入って合流する。第２補助熱交換部（38b）の複数の扁平管（31）を通過した冷媒は、第２連通室（152）へ入って合流する。第３補助熱交換部（38c）の複数の扁平管（31）を通過した冷媒は、第３連通室（153）へ入って合流する。各連通室（151〜153）の冷媒は、混合室（154）へ入って合流し、その後に液側接続管（101）を通って室外熱交換器（23）から流出してゆく。
【０１２９】
〈室外熱交換器における冷媒の流れ／蒸発器の場合〉
空気調和機（10）の暖房運転中には、室外熱交換器（23）が蒸発器として機能する。暖房運転中における室外熱交換器（23）での冷媒の流れを説明する。
【０１３０】
室外熱交換器（23）には、膨張弁（24）を通過する際に膨張して気液二相状態となった冷媒が、配管（17）を通じて供給される。図９に示すように、配管（17）から液側接続管（101）へ供給された冷媒は、補助熱交換領域（37）の各補助熱交換部（38a〜38c）と、下側主熱交換領域（235）の各下側主熱交換部（236a〜236c）と、上側主熱交換領域（135）の各上側主熱交換部（136a〜136f）とを順に通過し、ガス側接続管（102）を通って配管（18）へ流出してゆく。
【０１３１】
具体的には、液側接続管（101）から混合室（154）へ流入した気液二相状態の冷媒は、三つの連通室（151〜153）に分配され、その後、各連通室（151〜153）に対応する補助熱交換部（38a〜38c）の扁平管（31）へ流入する。各補助熱交換部（38a〜38c）の扁平管（31）を流れる冷媒は、室外熱交換器（23）へ供給された室外空気と熱交換する。各補助熱交換部（38a〜38c）の三本の扁平管（31）を通過した冷媒は、各補助熱交換部（38a〜38c）に対応する第２ヘッダ集合管（70）の補助連通空間（77a〜77c）へ入って合流する。
【０１３２】
第１補助連通空間（77a）の冷媒は、第１接続用配管（103）を通って第１下側主連通空間（173a）へ流入する。第２補助連通空間（77b）の冷媒は、第２接続用配管（104）を通って第２下側主連通空間（173b）へ流入する。第３補助連通空間（77c）の冷媒は、第３接続用配管（105）を通って第３下側主連通空間（173c）へ流入する。
【０１３３】
各下側主連通空間（173a〜173c）の冷媒は、対応する下側主熱交換部（236a〜236c）の扁平管（31）へ流入する。第１下側主連通空間（173a）の冷媒は、第１下側主熱交換部（236a）の扁平管（31）へ流入する。第２下側主連通空間（173b）の冷媒は、第２下側主熱交換部（236b）の扁平管（31）へ流入する。第３下側主連通空間（173c）の冷媒は、第３下側主熱交換部（236c）の扁平管（31）へ流入する。
【０１３４】
各下側主熱交換部（236a〜236c）の扁平管（31）を流れる冷媒は、室外熱交換器（23）へ供給された室外空気と熱交換する。各下側主熱交換部（236a〜236c）の扁平管（31）を通過した冷媒は、第１ヘッダ集合管（40）の対応する下側主連通空間（143a〜143c）へ流入する。第１下側主熱交換部（236a）の複数の扁平管（31）を通過した冷媒は、第１下側主連通空間（143a）へ入って合流する。第２下側主熱交換部（236b）の複数の扁平管（31）を通過した冷媒は、第２下側主連通空間（143b）へ入って合流する。第３下側主熱交換部（236c）の複数の扁平管（31）を通過した冷媒は、第３下側主連通空間（143c）へ入って合流する。
【０１３５】
第１下側主連通空間（143a）から第１接続用分岐配管（110）の主管部（111）へ流入した冷媒は、その一部が一方の分岐管部（112a）を通って第１上側主連通空間（142a）へ、残りが他方の分岐管部（112b）を通って第２上側主連通空間（142b）へ、それぞれ流入する。第２下側主連通空間（143b）から第２接続用分岐配管（120）の主管部（121）へ流入した冷媒は、その一部が一方の分岐管部（122a）を通って第３上側主連通空間（142c）へ、残りが他方の分岐管部（122b）を通って第４上側主連通空間（142d）へ、それぞれ流入する。第３下側主連通空間（143c）から第３接続用分岐配管（130）の主管部（131）へ流入した冷媒は、その一部が一方の分岐管部（132a）を通って第５上側主連通空間（142e）へ、残りが他方の分岐管部（132b）を通って第６上側主連通空間（142f）へ、それぞれ流入する。
【０１３６】
第１ヘッダ集合管（40）の各上側主連通空間（142a〜142f）へ流入した冷媒は、各上側主連通空間（142a〜142f）に対応する上側主熱交換部（136a〜136f）の扁平管（31）に流入する。第１上側主連通空間（142a）の冷媒は、第１上側主熱交換部（136a）の扁平管（31）へ流入する。第２上側主連通空間（142b）の冷媒は、第２上側主熱交換部（136b）の扁平管（31）へ流入する。第３上側主連通空間（142c）の冷媒は、第３上側主熱交換部（136c）の扁平管（31）へ流入する。第４上側主連通空間（142d）の冷媒は、第４上側主熱交換部（136d）の扁平管（31）へ流入する。第５上側主連通空間（142e）の冷媒は、第５上側主熱交換部（136e）の扁平管（31）へ流入する。第６上側主連通空間（142f）の冷媒は、第６上側主熱交換部（136f）の扁平管（31）へ流入する。
【０１３７】
各上側主熱交換部（136a〜136f）の扁平管（31）を流れる冷媒は、室外熱交換器（23）へ供給された室外空気と熱交換する。各上側主熱交換部（136a〜136f）の複数の扁平管（31）を通過した冷媒は、第２ヘッダ集合管（70）の第１上側空間（172）へ入って合流し、その後にガス側接続管（102）を通って室外熱交換器（23）から流出してゆく。
【０１３８】
以上の構成により、実施形態２では、室外熱交換器（23）が蒸発器として機能する際に、補助熱交換領域（37）と下側主熱交換領域（235）と上側主熱交換領域（135）とが直列に接続され、下側主熱交換領域（235）と上側主熱交換領域（135）との間において、各熱交換領域（135,235）の熱交換部（136a〜136f,235a〜236c）の数が、倍増する。つまり、室外熱交換器（23）が蒸発器として機能する際に、下流側の上側主熱交換領域（135）の熱交換部（136a〜136f）の数は六つであり、上流側の下側主熱交換領域（235）の熱交換部（236a〜236c）の数（三つ）よりも多く、倍数となっている。
【０１３９】
−実施形態２の効果−
本実施形態２の室外熱交換器（23）によれば、蒸発器として機能する際に、最下流の上側主熱交換領域（135）の熱交換部（136a〜136f）の数が、最上流の補助熱交換領域（37）の熱交換部（38a〜38c）の数よりも多くなるように構成することとした。これに伴い、上側主熱交換領域（135）の熱交換部の数が補助熱交換領域（37）の熱交換部の数と同数である場合に比べて、上側主熱交換領域（135）の連通空間（142a〜142f）の数が多くなるため、該連通空間（142a〜142f）に連通する扁平管（31）の数が少なくなり、該連通空間（142a〜142f）の高さが低くなる。室外熱交換器（23）が蒸発器として機能する際に、最下流の上側主熱交換領域（135）の各連通空間（142a〜142f）では最も偏流が生じ易いが、上述のように、上側主熱交換領域（135）の各連通空間（142a〜142f）の高さを低減することで、ガス冷媒と液冷媒とが分離され難くなり、上側主熱交換領域（135）の各連通空間（142a〜142f）において冷媒の偏流が生じ難くなる。従って、本実施形態２の室外熱交換器（23）によれば、蒸発器として機能する際に冷媒の偏流が最も生じ易い最下流の上側主熱交換領域（135）の各連通空間（142a〜142f）において冷媒の偏流を抑制することができるため、室外熱交換器（23）の性能を十分に発揮させることができる。
【０１４０】
また、上記室外熱交換器（23）が蒸発器として機能する際に、冷媒の流入量が少ない場合には、複数の扁平管（31）に冷媒を分流する連通空間において特に冷媒が偏流し易くなる。そのため、上述のような構成によれば、冷媒の流入量が少ない場合に、偏流を抑制して室外熱交換器（23）の性能を十分に発揮させる効果がより顕著となる。
【０１４１】
また、本実施形態２の室外熱交換器（23）によれば、蒸発器として機能する際に互いに直列に接続される下側主熱交換領域（235）と上側主熱交換領域（135）との間に、上流側の下側主熱交換領域（235）の各熱交換部（236a〜236c）と下流側の上側主熱交換領域（135）の互いに異なる二つの熱交換部（136a〜136f）とを接続する接続用分岐配管（分岐管）（110,120,130）を設けることとした。そのため、室外熱交換器（23）が蒸発器として機能する際に、下流側の上側主熱交換領域（135）の方が上流側の下側主熱交換領域（235）よりも熱交換部の数が多い構成を、容易に実現することができる。
【０１４２】
ところで、室外熱交換器（23）が蒸発器として機能する際に、各熱交換領域（37,135,235）において、下側に配置された熱交換部（38a,136a,236a）ほど、液冷媒が多く流入し易い。一方、連通空間に連通する扁平管（31）の数が増えると、連通空間の高さが増大するため、連通する扁平管（31）の数が多い連通空間は、連通する扁平管（31）の数が少ない連通空間に比べて、室外熱交換器（23）が蒸発器として機能する際に偏流が生じ易くなる。
【０１４３】
そこで、本実施形態２の室外熱交換器（23）では、熱交換領域（135,235）の複数の熱交換部（136a〜136f,236a〜236c）の間で扁平管（31）の数が異なる場合に、扁平管（31）の数が多く、室外熱交換器（23）が蒸発器として機能する際に、連通空間（142a,173a）において冷媒の偏流が生じ易い熱交換部（136a,236a）を、液冷媒が多く流入し易い下側に配置することとしている。そのため、室外熱交換器（23）が蒸発器として機能する際に冷媒の偏流が生じ易い熱交換部（136a,236a）の連通空間（142a,173a）に液冷媒が多く流入するため、該連通空間（142a,173a）における冷媒の偏流を抑制することができる。従って、室外熱交換器（23）の性能を十分に発揮させることができる。
【０１４４】
なお、上記実施形態２の室外熱交換器（23）は、補助熱交換領域（37）の補助熱交換部（78a〜78c）の数と、下側主熱交換領域（235）の下側主熱交換部（236a〜236c）の数とが同数になるように構成されていた。しかしながら、上記実施形態２の室外熱交換器（23）において、下側主熱交換領域（235）の下側主熱交換部（236a〜236c）の数を、補助熱交換領域（37）の補助熱交換部（78a〜78c）の数よりも多くし、蒸発器として機能する際に、最上流の熱交換領域から最下流の熱交換領域に向かって熱交換部の数が段階的に増大するように構成してもよい。例えば、補助熱交換領域（37）を二つの補助熱交換部に区分し、下側主熱交換領域（235）を四つの下側主熱交換部に区分し、上側主熱交換領域（135）を八つの上側主熱交換部に区分することとしてもよい。このような構成によれば、室外熱交換器（23）が蒸発器として機能する際に、下流側の熱交換領域（135）ほど偏流が生じ易くなるところ、連通空間の数が、最上流の熱交換領域（37）から最下流の熱交換領域（135）に向かって徐々に多くなるため、各連通空間から扁平管（31）へ流入する冷媒の偏流を効果的に抑制することができる。従って、室外熱交換器（23）の性能を十分に発揮させることができる。
【０１４５】
また、実施形態２の室外熱交換器（23）では、熱交換器ユニット（30）において上下に並ぶ扁平管（31）の総数が、実施形態１の室外熱交換器（23）に比べて大幅に多い。そこで、実施形態２の室外熱交換器（23）では、熱交換器ユニット（30）において上下に並ぶ熱交換領域（37,135,235）の数を、実施形態１の室外熱交換器（23）よりも多くすることで、一つの熱交換領域（37,135,235）に配分される扁平管（31）の総数を少なくしている。これにより、各熱交換部（38a〜38c,135a〜135f,235a〜235c）に配分される扁平管（31）の数が少なくなる。よって、このように、熱交換器ユニット（30）において上下に並ぶ扁平管（31）の総数が多い場合に、上下に並ぶ熱交換領域（37,135,235）の数を増やして各熱交換部（38a〜38c,135a〜135f,235a〜235c）に配分される扁平管（31）の数を減らすことにより、各連通空間の高さを低減することができる。そのため、室外熱交換器（23）が蒸発器として機能する際に、各連通空間から扁平管（31）へ流入する冷媒の偏流を抑制することができ、室外熱交換器（23）の性能を十分に発揮させることができる。
【０１４６】
《発明の実施形態３》
本発明の実施形態３について説明する。実施形態１の室外熱交換器（23）は、一つの熱交換器ユニット（30）を備えていた。実施形態３では、図１０に示すように、室外熱交換器（23）が、二つの熱交換器ユニット（30）を備えている。
【０１４７】
具体的には、室外熱交換器（23）は、二列構造の空気熱交換器であり、風上熱交換器ユニット（330）と風下熱交換器ユニット（360）とを備えている。風上熱交換器ユニット（330）と風下熱交換器ユニット（360）は、室外熱交換器（23）を通過する空気流の方向に重なっている。室外熱交換器（23）を通過する空気の流れ方向において、風上熱交換器ユニット（330）は、風下熱交換器ユニット（360）の上流側に配置されている。
【０１４８】
〈風上熱交換器ユニットの構成〉
風上熱交換器ユニット（330）は、一つの第１風上ヘッダ集合管（340）と、一つの第２風上ヘッダ集合管（345）とを備えると共に、図示を省略するが、実施形態１と同様に構成された多数の扁平管（31）とフィン（32）とを備えている。第１風上ヘッダ集合管（340）、第２風上ヘッダ集合管（345）、扁平管（31）及びフィン（32）は、何れもアルミニウム合金製の部材であって、互いにロウ付けによって接合されている。
【０１４９】
第１風上ヘッダ集合管（340）と第２風上ヘッダ集合管（345）は、何れも両端が閉塞された細長い円筒状に形成されている。第１風上ヘッダ集合管（340）は風上熱交換器ユニット（330）の左右方向の一端に、第２風上ヘッダ集合管（345）は風上熱交換器ユニット（330）の他端に、それぞれ起立した状態で設置されている。つまり、第１風上ヘッダ集合管（340）及び第２風上ヘッダ集合管（345）は、それぞれの軸方向が上下方向となる状態で設置されている。
【０１５０】
風上熱交換器ユニット（330）において、複数の扁平管（31）は、それぞれの軸方向が左右方向となり、それぞれの側面のうち平坦な部分が対向する状態で互いに一定の間隔をおいて上下に並んで配置され、互いの軸方向が実質的に平行となっている。各扁平管（31）は、その一端が第１風上ヘッダ集合管（340）に挿入され、その他端が第２風上ヘッダ集合管（345）に挿入されている。一方、複数のフィン（32）は、扁平管（31）の軸方向に一定の間隔をおいて配列されている。
【０１５１】
図１０及び図１１に示すように、風上熱交換器ユニット（330）は、上下に二つの熱交換領域（335,337）に区分されている。風上熱交換器ユニット（330）では、上側の熱交換領域が風上主熱交換領域（335）となり、下側の熱交換領域が風上補助熱交換領域（337）となっている。
【０１５２】
風上主熱交換領域（335）は、上下に六つの風上主熱交換部（336a〜336f）に区分されている。一方、風上補助熱交換領域（337）は、上下に三つの風上補助熱交換部（338a〜338c）に区分されている。なお、ここに示した風上主熱交換部（336a〜336f）及び風上補助熱交換部（338a〜338c）の数は、単なる一例である。
【０１５３】
風上主熱交換領域（335）には、下から上に向かって順に、第１風上主熱交換部（336a）と、第２風上主熱交換部（336b）と、第３風上主熱交換部（336c）と、第４風上主熱交換部（336d）と、第５風上主熱交換部（336e）と、第６風上主熱交換部（336f）とが形成されている。図示は省略するが、第１風上主熱交換部（336a）には、十二本の扁平管（31）が設けられ、第２〜第６風上主熱交換部（336b〜336f）には、十一本の扁平管（31）が設けられている。
【０１５４】
風上補助熱交換領域（337）には、下から上に向かって順に、第１風上補助熱交換部（338a）と、第２風上補助熱交換部（338b）と、第３風上補助熱交換部（338c）とが形成されている。図示は省略するが、各風上補助熱交換部（338a〜338c）には、三本の扁平管（31）が設けられている。
【０１５５】
第１風上ヘッダ集合管（340）の内部空間は、仕切板（341）によって上下に仕切られている。第１風上ヘッダ集合管（340）は、仕切板（341）の上側の空間が上側空間（342）となり、仕切板（341）の下側の空間が下側空間（343）となっている。
【０１５６】
上側空間（342）は、風上主熱交換領域（335）を構成する全ての扁平管（31）と連通する。つまり、第１風上ヘッダ集合管（340）の内部では、風上主熱交換領域（335）の熱交換部（336a〜336f）毎に形成された連通空間が互いに連通して一つの上側空間（342）を構成している。第１風上ヘッダ集合管（340）のうち上側空間（342）を形成する部分には、ガス側接続管（102）が接続されている。このガス側接続管（102）には、冷媒回路（20）を構成する配管（18）が接続される。
【０１５７】
第１風上ヘッダ集合管（340）のうち下側空間（343）を形成する部分には、液側接続管（101）が接続される。この液側接続管（101）には、冷媒回路（20）を構成する配管（17）が接続される。実施形態３では、第１風上ヘッダ集合管（340）のうち下側空間（343）を形成する部分は、冷媒を三つの風上補助熱交換部（338a〜338c）へ分配するための分流器（150）を構成する。なお、図示を省略するが、分流器（150）は、実施形態１と同様に構成され、下側空間（343）は、三つの連通室（151〜153）と一つの混合室（154）と二つの中間室（155,156）とが区画されている。
【０１５８】
第２風上ヘッダ集合管（345）の内部空間は、仕切板（344）によって上下に仕切られている。第２風上ヘッダ集合管（345）は、仕切板（344）の上側の空間が上側空間（346）となり、仕切板（344）の下側の空間が下側空間（347）となっている。
【０１５９】
上側空間（346）は、五枚の仕切板によって、六つの主連通空間（346a〜348f）に仕切られている。つまり、第２風上ヘッダ集合管（345）における仕切板（344）の上側には、下から上へ向かって順に、第１主連通空間（346a）と、第２主連通空間（346b）と、第３主連通空間（346c）と、第４主連通空間（346d）と、第５主連通空間（346e）と、第６主連通空間（346f）とが形成されている。
【０１６０】
第１主連通空間（346a）には、第１風上主熱交換部（336a）を構成する十二本の扁平管（31）が連通する。第２主連通空間（346b）には、第２風上主熱交換部（336b）を構成する十一本の扁平管（31）が連通する。第３主連通空間（346c）には、第３風上主熱交換部（336c）を構成する十一本の扁平管（31）が連通する。第４主連通空間（346d）には、第４風上主熱交換部（336d）を構成する十一本の扁平管（31）が連通する。第５主連通空間（346e）には、第５風上主熱交換部（336e）を構成する十一本の扁平管（31）が連通する。第６主連通空間（346f）には、第６風上主熱交換部（336f）を構成する十一本の扁平管（31）が連通する。
【０１６１】
下側空間（347）は、二枚の仕切板によって、三つの補助連通空間（347a〜347c）に仕切られている。つまり、第２風上ヘッダ集合管（345）における仕切板（344）の下側には、下から上へ向かって順に、第１補助連通空間（347a）と、第２補助連通空間（347b）と、第３補助連通空間（347c）とが形成されている。
【０１６２】
第１補助連通空間（347a）には、第１風上補助熱交換部（338a）の三本の扁平管（31）が連通する。第２補助連通空間（347b）には、第２風上補助熱交換部（338b）の三本の扁平管（31）が連通する。第３補助連通空間（347c）には、第３風上補助熱交換部（338c）の三本の扁平管（31）が連通する。
【０１６３】
〈風下熱交換器ユニットの構成〉
風下熱交換器ユニット（360）は、一つの第１風下ヘッダ集合管（370）と、一つの第２風下ヘッダ集合管（380）とを備えると共に、図示を省略するが、実施形態１と同様に構成された多数の扁平管（31）とフィン（32）とを備えている。第１風下ヘッダ集合管（370）、第２風下ヘッダ集合管（380）、扁平管（31）及びフィン（32）は、何れもアルミニウム合金製の部材であって、互いにロウ付けによって接合されている。
【０１６４】
第１風下ヘッダ集合管（370）と第２風下ヘッダ集合管（380）は、何れも両端が閉塞された細長い円筒状に形成されている。第１風下ヘッダ集合管（370）は風下熱交換器ユニット（360）の左右方向の一端に、第２風下ヘッダ集合管（380）は風下熱交換器ユニット（360）の他端に、それぞれ起立した状態で設置されている。つまり、第１風下ヘッダ集合管（370）及び第２風下ヘッダ集合管（380）は、それぞれの軸方向が上下方向となる状態で設置されている。
【０１６５】
風下熱交換器ユニット（360）において、複数の扁平管（31）は、風上熱交換器ユニット（330）の扁平管（31）と同様に配列されている。上下に配列された各扁平管（31）は、その一端が第１風下ヘッダ集合管（370）に挿入され、その他端が第２風下ヘッダ集合管（380）に挿入されている。一方、複数のフィン（32）は、扁平管（31）の軸方向に一定の間隔をおいて配列されている。
【０１６６】
図１０及び図１１に示すように、風下熱交換器ユニット（360）は、上下に二つの熱交換領域（365,367）に区分されている。風下熱交換器ユニット（360）では、上側の熱交換領域が風下主熱交換領域（365）となり、下側の熱交換領域が風下補助熱交換領域（367）となっている。なお、図示は省略するが、風下主熱交換領域（365）の扁平管（31）の本数は、風上主熱交換領域（335）の扁平管（31）の本数と等しく、風下補助熱交換領域（367）の扁平管（31）の本数は、風上補助熱交換領域（337）を構成する扁平管（31）の本数と等しい。
【０１６７】
風下主熱交換領域（365）は、上下に三つの風下主熱交換部（366a〜366c）に区分されている。一方、風下補助熱交換領域（367）は、上下に三つの風下補助熱交換部（368a〜368c）に区分されている。なお、ここに示した風下主熱交換部（366a〜366c）及び風下補助熱交換部（368a〜368c）の数は、単なる一例である。
【０１６８】
風下主熱交換領域（365）には、下から上に向かって順に、第１風下主熱交換部（366a）と、第２風下主熱交換部（366b）と、第３風下主熱交換部（366c）とが形成されている。図示は省略するが、第１風下主熱交換部（366a）には、二十三本の扁平管（31）が設けられ、第２及び第３風下主熱交換部（366b,366c）には、それぞれ二十二本の扁平管（31）が設けられている。
【０１６９】
なお、ここに示した各風下主熱交換部（366a〜366c）における扁平管（31）の数は、単なる一例である。ただし、第１風下主熱交換部（366a）の扁平管（31）の数は、第１風上主熱交換部（336a）の扁平管（31）の数と第２風上主熱交換部（336b）の扁平管（31）の数とを足し合わせた数と同数であり、第２風下主熱交換部（366b）を構成する扁平管（31）の数は、第３風上主熱交換部（336c）の扁平管（31）の数と第４風上主熱交換部（336d）の扁平管（31）の数とを足し合わせた数と同数であり、第３風下主熱交換部（366c）の扁平管（31）の数は、第５風上主熱交換部（336e）の扁平管（31）の数と第６風上主熱交換部（336f）の扁平管（31）の数とを足し合わせた数と同数であるのが望ましい。
【０１７０】
風下補助熱交換領域（367）には、下から上に向かって順に、第１風下補助熱交換部（368a）と、第２風下補助熱交換部（368b）と、第３風下補助熱交換部（368c）とが形成されている。図示は省略するが、各風下補助熱交換部（368a〜368c）には、三本の扁平管（31）が設けられている。
【０１７１】
なお、各風下補助熱交換部（368a〜368c）の扁平管（31）の本数は、互いに一致していなくてもよい。ただし、各風下補助熱交換部（368a〜368c）の扁平管（31）の本数が互いに一致しない場合であっても、第１風下補助熱交換部（368a）の扁平管（31）は第１風上補助熱交換部（338a）の扁平管（31）と同数であり、第２風下補助熱交換部（368b）の扁平管（31）は第２風上補助熱交換部（338b）の扁平管（31）と同数であり、第３風下補助熱交換部（368c）の扁平管（31）は第３風上補助熱交換部（338c）の扁平管（31）と同数であるのが望ましい。
【０１７２】
第１風下ヘッダ集合管（370）の内部空間は、仕切板（371）によって上下に仕切られている。第１風下ヘッダ集合管（370）は、仕切板（371）の上側の空間が上側空間（372）となり、仕切板（371）の下側の空間が下側空間（373）となっている。
【０１７３】
上側空間（372）は、二枚の仕切板によって、三つの主連通空間（372a〜372c）に仕切られている。つまり、第１風下ヘッダ集合管（370）における仕切板（371）の上側には、下から上へ向かって順に、第１主連通空間（372a）と、第２主連通空間（372b）と、第３主連通空間（372c）とが形成されている。
【０１７４】
第１主連通空間（372a）には、第１風下主熱交換部（366a）の二十三本の扁平管（31）が連通する。第２主連通空間（372b）には、第２風下主熱交換部（366b）の二十二本の扁平管（31）が連通する。第３主連通空間（372c）には、第３風下主熱交換部（366c）の二十二本の扁平管（31）が連通する。
【０１７５】
下側空間（373）は、二枚の仕切板によって、三つの補助連通空間（373a〜373c）に仕切られている。つまり、第１風下ヘッダ集合管（370）における仕切板（371）の下側には、下から上へ向かって順に、第１補助連通空間（373a）と、第２補助連通空間（373b）と、第３補助連通空間（373c）とが形成されている。
【０１７６】
第１補助連通空間（373a）には、第１風下補助熱交換部（368a）の三本の扁平管（31）が連通する。第２補助連通空間（373b）には、第２風下補助熱交換部（368b）を構成する三本の扁平管（31）が連通する。第３補助連通空間（373c）には、第３風下補助熱交換部（368c）を構成する三本の扁平管（31）が連通する。
【０１７７】
第１風下ヘッダ集合管（370）には、三本の接続用配管（311,321,331）が取り付けられている。第１接続用配管（311）は、第１風下補助熱交換部（368a）と第１風下主熱交換部（366a）とを接続する。具体的に、第１接続用配管（311）は、一方の開口端が第１補助連通空間（373a）と連通し、他方の開口端が第１主連通空間（372a）と連通する。第２接続用配管（321）は、第２風下補助熱交換部（368b）と第２風下主熱交換部（366b）とを接続する。具体的に、第２接続用配管（321）は、一方の開口端が第２補助連通空間（373b）と連通し、他方の開口端が第２主連通空間（372b）と連通する。第３接続用配管（331）は、第３風下補助熱交換部（368c）と第３風下主熱交換部（366c）とを接続する。具体的に、第３接続用配管（331）は、一方の開口端が第３補助連通空間（373c）と連通し、他方の開口端が第３主連通空間（372c）と連通する。
【０１７８】
第２風下ヘッダ集合管（380）の内部空間は、仕切板（381）によって上下に仕切られている。第２風下ヘッダ集合管（380）は、仕切板（381）の上側の空間が上側空間（382）となり、仕切板（381）の下側の空間が下側空間（383）となっている。
【０１７９】
上側空間（382）は、二枚の仕切板によって、三つの主連通空間（382a〜382c）に仕切られている。つまり、第２風下ヘッダ集合管（380）における仕切板（381）の上側には、下から上へ向かって順に、第１主連通空間（382a）と、第２主連通空間（382b）と、第３主連通空間（382c）とが形成されている。
【０１８０】
第１主連通空間（382a）には、第１風下主熱交換部（366a）の二十三本の扁平管（31）が連通する。第２主連通空間（382b）には、第２風下主熱交換部（366b）の二十二本の扁平管（31）が連通する。第３主連通空間（382c）には、第３風下主熱交換部（366c）の二十二本の扁平管（31）が連通する。
【０１８１】
下側空間（383）は、二枚の仕切板によって、三つの補助連通空間（383a〜383c）に仕切られている。つまり、第２風下ヘッダ集合管（380）における仕切板（381）の下側には、下から上へ向かって順に、第１補助連通空間（383a）と、第２補助連通空間（383b）と、第３補助連通空間（383c）とが形成されている。
【０１８２】
第１補助連通空間（383a）には、第１風下補助熱交換部（368a）の三本の扁平管（31）が連通する。第２補助連通空間（383b）には、第２風下補助熱交換部（368b）の三本の扁平管（31）が連通する。第３補助連通空間（383c）には、第３風下補助熱交換部（368c）の三本の扁平管（31）が連通する。
【０１８３】
〈熱交換器ユニット間の接続構造〉
第２風上ヘッダ集合管（345）と第２風下ヘッダ集合管（380）とには、三本の接続用分岐配管（分岐管）（110,120,130）と、三本の接続用配管（106,107,108）とが取り付けられている。各接続用分岐配管（110,120,130）は、一つの主管部（111,121,131）と、主管部（111,121,131）の端部に接続する二つの分岐管部（112a,112b,122a,122b,132a,132b）とを備えている。
【０１８４】
第１接続用分岐配管（110）は、第１風下主熱交換部（366a）と第１風上主熱交換部（336a）及び第２風上主熱交換部（336b）とを接続する。具体的に、第１接続用分岐配管（110）は、主管部（111）の開口端が第２風下ヘッダ集合管（380）の第１主連通空間（382a）と連通し、一方の分岐管部（112a）の開口端が第２風上ヘッダ集合管（345）の第１主連通空間（346a）と連通し、他方の分岐管部（112b）の開口端が第２風上ヘッダ集合管（345）の第２主連通空間（346b）と連通する。従って、第２風下ヘッダ集合管（380）の第１主連通空間（382a）は、第２風上ヘッダ集合管（345）の第１主連通空間（346a）と第２主連通空間（346b）の両方に接続される。
【０１８５】
第２接続用分岐配管（120）は、第２風下主熱交換部（366b）と第３風上主熱交換部（336c）及び第４風上主熱交換部（336d）とを接続する。具体的に、第２接続用分岐配管（120）は、主管部（121）の開口端が第２風下ヘッダ集合管（380）の第２主連通空間（382b）と連通し、一方の分岐管部（122a）の開口端が第２風上ヘッダ集合管（345）の第３主連通空間（346c）と連通し、他方の分岐管部（122b）の開口端が第２風上ヘッダ集合管（345）の第４主連通空間（346d）と連通する。従って、第２風下ヘッダ集合管（380）の第２主連通空間（382b）は、第２風上ヘッダ集合管（345）の第３主連通空間（346c）と第４主連通空間（346d）の両方に接続される。
【０１８６】
第３接続用分岐配管（130）は、第３風下主熱交換部（366c）と第５風上主熱交換部（336e）及び第６風上主熱交換部（336f）とを接続する。具体的に、第３接続用分岐配管（130）は、主管部（131）の開口端が第２風下ヘッダ集合管（380）の第３主連通空間（382c）と連通し、一方の分岐管部（132a）の開口端が第２風上ヘッダ集合管（345）の第５主連通空間（346e）と連通し、他方の分岐管部（132b）の開口端が第２風上ヘッダ集合管（345）の第６主連通空間（346f）と連通する。従って、第２風下ヘッダ集合管（380）の第３主連通空間（382c）は、第２風上ヘッダ集合管（345）の第５主連通空間（346e）と第６主連通空間（346f）の両方に接続される。
【０１８７】
第１接続用配管（106）は、第１風上補助熱交換部（338a）と第１風下補助熱交換部（368a）とを接続する。具体的に、第１接続用配管（106）は、一方の開口端が第２風上ヘッダ集合管（345）の第１補助連通空間（347a）と連通し、他方の開口端が第２風下ヘッダ集合管（380）の第１補助連通空間（383a）と連通する。第２接続用配管（107）は、第２風上補助熱交換部（338b）と第２風下補助熱交換部（368b）とを接続する。具体的に、第２接続用配管（107）は、一方の開口端が第２風上ヘッダ集合管（345）の第２補助連通空間（347b）と連通し、他方の開口端が第２風下ヘッダ集合管（380）の第２補助連通空間（383b）と連通する。第３接続用配管（108）は、第３風上補助熱交換部（338c）と第３風下補助熱交換部（368c）とを接続する。具体的に、第３接続用配管（108）は、一方の開口端が第２風上ヘッダ集合管（345）の第３補助連通空間（347c）と連通し、他方の開口端が第２風下ヘッダ集合管（380）の第３補助連通空間（383c）と連通する。
【０１８８】
〈室外熱交換器における冷媒の流れ／凝縮器の場合〉
空気調和機（10）の冷房運転中には、室外熱交換器（23）が凝縮器として機能する。冷房運転中における室外熱交換器（23）での冷媒の流れを説明する。
【０１８９】
室外熱交換器（23）には、圧縮機（21）から吐出されたガス冷媒が、配管（18）を通じて供給される。図１０に示すように、配管（18）からガス側接続管（102）へ供給された冷媒は、風上主熱交換領域（335）の各風上主熱交換部（336a〜336f）と、風下主熱交換領域（365）の各風下主熱交換部（366a〜366c）と、風下補助熱交換領域（367）の各風下補助熱交換部（368a〜368c）と、風上補助熱交換領域（337）の各風上補助熱交換部（338a〜338c）とを順に通過し、液側接続管（101）を通って配管（17）へ流出してゆく。
【０１９０】
具体的には、ガス側接続管（102）から第１風上ヘッダ集合管（340）の上側空間（342）へ流入したガス単相状態の冷媒は、各風上主熱交換部（336a〜336f）の扁平管（31）へ分かれて流入する。各風上主熱交換部（336a〜336f）の扁平管（31）を流れる冷媒は、室外熱交換器（23）へ供給された室外空気と熱交換する。
【０１９１】
各風上主熱交換部（336a〜336f）の扁平管（31）を通過した冷媒は、第２風上ヘッダ集合管（345）の対応する主連通空間（346a〜346f）へ流入する。第１風上主熱交換部（336a）の複数の扁平管（31）を通過した冷媒は、第１主連通空間（346a）へ入って合流する。第２風上主熱交換部（336b）の複数の扁平管（31）を通過した冷媒は、第２主連通空間（346b）へ入って合流する。第３風上主熱交換部（336c）の複数の扁平管（31）を通過した冷媒は、第３主連通空間（346c）へ入って合流する。第４風上主熱交換部（336d）の複数の扁平管（31）を通過した冷媒は、第４主連通空間（346d）へ入って合流する。第５風上主熱交換部（336e）の複数の扁平管（31）を通過した冷媒は、第５主連通空間（346e）へ入って合流する。第６風上主熱交換部（336f）の複数の扁平管（31）を通過した冷媒は、第６主連通空間（346f）へ入って合流する。
【０１９２】
第２風上ヘッダ集合管（345）の第１主連通空間（346a）及び第２主連通空間（346b）の冷媒は、第１接続用分岐配管（110）を通って第２風下ヘッダ集合管（380）の第１主連通空間（382a）へ流入する。第２風上ヘッダ集合管（345）の第３主連通空間（346c）及び第４主連通空間（346d）の冷媒は、第２接続用分岐配管（120）を通って第２風下ヘッダ集合管（380）の第２主連通空間（382b）へ流入する。第２風上ヘッダ集合管（345）の第５主連通空間（346e）及び第６主連通空間（346f）の冷媒は、第３接続用分岐配管（130）を通って第２風下ヘッダ集合管（380）の第３主連通空間（382c）へ流入する。
【０１９３】
各主連通空間（382a〜382c）の冷媒は、対応する風下主熱交換部（366a〜366c）の扁平管（31）へ流入する。第１主連通空間（382a）の冷媒は、第１風下主熱交換部（366a）の扁平管（31）へ流入する。第２主連通空間（382b）の冷媒は、第２風下主熱交換部（366b）の扁平管（31）へ流入する。第３主連通空間（382c）の冷媒は、第３風下主熱交換部（366c）の扁平管（31）へ流入する。
【０１９４】
各風下主熱交換部（366a〜366c）の扁平管（31）を流れる冷媒は、風上主熱交換領域（335）を通過した室外空気と熱交換する。各風下主熱交換部（366a〜366c）の扁平管（31）を通過した冷媒は、第１風下ヘッダ集合管（370）の対応する主連通空間（372a〜372c）へ流入する。第１風下主熱交換部（366a）の複数の扁平管（31）を通過した冷媒は、第１主連通空間（372a）へ入って合流する。第２風下主熱交換部（366b）の複数の扁平管（31）を通過した冷媒は、第２主連通空間（372b）へ入って合流する。第３風下主熱交換部（366c）の複数の扁平管（31）を通過した冷媒は、第３主連通空間（372c）へ入って合流する。
【０１９５】
第１主連通空間（372a）の冷媒は、第１接続用配管（311）を通って第１補助連通空間（373a）へ流入する。第２主連通空間（372b）の冷媒は、第２接続用配管（321）を通って第２補助連通空間（373b）へ流入する。第３主連通空間（372c）の冷媒は、第３接続用配管（331）を通って第３補助連通空間（373c）へ流入する。
【０１９６】
各補助連通空間（373a〜373c）の冷媒は、対応する風下補助熱交換部（368a〜368c）の扁平管（31）へ流入する。第１補助連通空間（373a）の冷媒は、第１風下補助熱交換部（368a）の扁平管（31）へ流入する。第２補助連通空間（373b）の冷媒は、第２風下補助熱交換部（368b）の扁平管（31）へ流入する。第３補助連通空間（373c）の冷媒は、第３風下補助熱交換部（368c）の扁平管（31）へ流入する。
【０１９７】
各風下補助熱交換部（368a〜368c）の扁平管（31）を流れる冷媒は、風上補助熱交換領域（337）を通過した室外空気と熱交換する。各風下補助熱交換部（368a〜368c）の扁平管（31）を通過した冷媒は、第２風下ヘッダ集合管（380）の対応する補助連通空間（383a〜383c）へ流入する。第１風下補助熱交換部（368a）の複数の扁平管（31）を通過した冷媒は、第１補助連通空間（383a）へ入って合流する。第２風下補助熱交換部（368b）の複数の扁平管（31）を通過した冷媒は、第２補助連通空間（383b）へ入って合流する。第３風下補助熱交換部（368c）の複数の扁平管（31）を通過した冷媒は、第３補助連通空間（383c）へ入って合流する。
【０１９８】
第２風下ヘッダ集合管（380）の第１補助連通空間（383a）の冷媒は、第１接続用配管（106）を通って第２風上ヘッダ集合管（345）の第１補助連通空間（347a）へ流入する。第２風下ヘッダ集合管（380）の第２補助連通空間（383b）の冷媒は、第２接続用配管（107）を通って第２風上ヘッダ集合管（345）の第２補助連通空間（347b）へ流入する。第２風下ヘッダ集合管（380）の第３補助連通空間（383c）の冷媒は、第３接続用配管（108）を通って第２風上ヘッダ集合管（345）の第３補助連通空間（347c）へ流入する。
【０１９９】
各補助連通空間（347a〜347c）の冷媒は、対応する風上補助熱交換部（338a〜338c）の扁平管（31）へ流入する。第１補助連通空間（347a）の冷媒は、第１風上補助熱交換部（338a）の扁平管（31）へ流入する。第２補助連通空間（347b）の冷媒は、第２風上補助熱交換部（338b）の扁平管（31）へ流入する。第３補助連通空間（347c）の冷媒は、第３風上補助熱交換部（338c）の扁平管（31）へ流入する。
【０２００】
各風上補助熱交換部（338a〜338c）の扁平管（31）を流れる冷媒は、室外熱交換器（23）へ供給された室外空気と熱交換する。各風上補助熱交換部（338a〜338c）の扁平管（31）を通過した冷媒は、対応する連通室（151〜153）へ流入する。第１風上補助熱交換部（338a）の複数の扁平管（31）を通過した冷媒は、第１連通室（151）へ入って合流する。第２風上補助熱交換部（338b）の複数の扁平管（31）を通過した冷媒は、第２連通室（152）へ入って合流する。第３風上補助熱交換部（338c）の複数の扁平管（31）を通過した冷媒は、第３連通室（153）へ入って合流する。各連通室（151〜153）の冷媒は、混合室（154）へ入って合流し、その後に液側接続管（101）を通って室外熱交換器（23）から流出してゆく。
【０２０１】
〈室外熱交換器における冷媒の流れ／蒸発器の場合〉
空気調和機（10）の暖房運転中には、室外熱交換器（23）が蒸発器として機能する。暖房運転中における室外熱交換器（23）での冷媒の流れを説明する。
【０２０２】
室外熱交換器（23）には、膨張弁（24）を通過する際に膨張して気液二相状態となった冷媒が、配管（17）を通じて供給される。図１１に示すように、配管（17）から液側接続管（101）へ供給された冷媒は、風上補助熱交換領域（337）の各風上補助熱交換部（338a〜338c）と、風下補助熱交換領域（367）の各風下補助熱交換部（368a〜368c）と、風下主熱交換領域（365）の各風下主熱交換部（366a〜366c）と、風上主熱交換領域（335）の各風上主熱交換部（336a〜336f）とを順に通過し、ガス側接続管（102）を通って配管（18）へ流出してゆく。
【０２０３】
具体的には、液側接続管（101）から第１風上ヘッダ集合管（340）の下側空間（343）へ流入した気液二相状態の冷媒は、三つの連通室（151〜153）に分配され、その後、各連通室（151〜153）に対応する風上補助熱交換部（338a〜338c）の扁平管（31）へ流入する。風上補助熱交換部（338a〜338c）の扁平管（31）を流れる冷媒は、室外熱交換器（23）へ供給された室外空気と熱交換する。各風上補助熱交換部（338a〜338c）の扁平管（31）を通過した冷媒は、第２風上ヘッダ集合管（345）の対応する補助連通空間（347a〜347c）へ流入する。第１風上補助熱交換部（338a）の複数の扁平管（31）を通過した冷媒は、第１補助連通空間（347a）へ入って合流する。第２風上補助熱交換部（338b）の複数の扁平管（31）を通過した冷媒は、第２補助連通空間（347b）へ入って合流する。第３風上補助熱交換部（338c）の複数の扁平管（31）を通過した冷媒は、第３補助連通空間（347c）へ入って合流する。
【０２０４】
第２風上ヘッダ集合管（345）の第１補助連通空間（347a）の冷媒は、第１接続用配管（106）を通って第２風下ヘッダ集合管（380）の第１補助連通空間（383a）へ流入する。第２風上ヘッダ集合管（345）の第２補助連通空間（347b）の冷媒は、第２接続用配管（107）を通って第２風下ヘッダ集合管（380）の第２補助連通空間（383b）へ流入する。第２風上ヘッダ集合管（345）の第３補助連通空間（347c）の冷媒は、第３接続用配管（108）を通って第２風下ヘッダ集合管（380）の第３補助連通空間（383c）へ流入する。
【０２０５】
各補助連通空間（383a〜383c）の冷媒は、対応する風下補助熱交換部（368a〜368c）の扁平管（31）へ流入する。第１補助連通空間（383a）の冷媒は、第１風下補助熱交換部（368a）の扁平管（31）へ流入する。第２補助連通空間（383b）の冷媒は、第２風下補助熱交換部（368b）の扁平管（31）へ流入する。第３補助連通空間（383c）の冷媒は、第３風下補助熱交換部（368c）の扁平管（31）へ流入する。
【０２０６】
各風下補助熱交換部（368a〜368c）の扁平管（31）を流れる冷媒は、風上補助熱交換領域（337）を通過した室外空気と熱交換する。各風下補助熱交換部（368a〜368c）の三本の扁平管（31）を通過した冷媒は、各風下補助熱交換部（368a〜368c）に対応する第１風下ヘッダ集合管（370）の補助連通空間（373a〜373c）へ入って合流する。
【０２０７】
第１補助連通空間（373a）の冷媒は、第１接続用配管（311）を通って第１主連通空間（372a）へ流入する。第２補助連通空間（373b）の冷媒は、第２接続用配管（321）を通って第２主連通空間（372b）へ流入する。第３補助連通空間（373c）の冷媒は、第３接続用配管（331）を通って第３主連通空間（372c）へ流入する。
【０２０８】
第１風下ヘッダ集合管（370）の各主連通空間（372a〜372c）へ流入した冷媒は、各主連通空間（372a〜372c）に対応する風下主熱交換部（366a〜366c）の複数の扁平管（31）へ分かれて流入する。第１主連通空間（372a）の冷媒は、第１風下主熱交換部（366a）を構成する扁平管（31）へ流入する。第２主連通空間（372b）の冷媒は、第２風下主熱交換部（366b）を構成する扁平管（31）へ流入する。第３主連通空間（372c）の冷媒は、第３風下主熱交換部（366c）を構成する扁平管（31）へ流入する。
【０２０９】
各風下主熱交換部（366a〜366c）の扁平管（31）を流れる冷媒は、風上主熱交換領域（335）を通過した室外空気と熱交換する。各風下主熱交換部（366a〜366c）の扁平管（31）を通過した冷媒は、第２風下ヘッダ集合管（380）の対応する主連通空間（382a〜382c）へ流入する。第１風下主熱交換部（366a）の複数の扁平管（31）を通過した冷媒は、第１主連通空間（382a）へ入って合流する。第２風下主熱交換部（366b）の複数の扁平管（31）を通過した冷媒は、第２主連通空間（382b）へ入って合流する。第３風下主熱交換部（366c）の複数の扁平管（31）を通過した冷媒は、第３主連通空間（382c）へ入って合流する。
【０２１０】
第２風下ヘッダ集合管（380）の第１主連通空間（382a）から第１接続用分岐配管（110）の主管部（111）へ流入した冷媒は、その一部が一方の分岐管部（112a）を通って第２風上ヘッダ集合管（345）の第１主連通空間（346a）へ、残りが他方の分岐管部（112b）を通って第２風上ヘッダ集合管（345）の第２主連通空間（346b）へ、それぞれ流入する。第２風下ヘッダ集合管（380）の第２主連通空間（382b）から第２接続用分岐配管（120）の主管部（121）へ流入した冷媒は、その一部が一方の分岐管部（122a）を通って第２風上ヘッダ集合管（345）の第３主連通空間（346c）へ、残りが他方の分岐管部（122b）を通って第４主連通空間（346d）へ、それぞれ流入する。第２風下ヘッダ集合管（380）の第３主連通空間（382c）から第３接続用分岐配管（130）の主管部（131）へ流入した冷媒は、その一部が一方の分岐管部（132a）を通って第２風上ヘッダ集合管（345）の第５主連通空間（346e）へ、残りが他方の分岐管部（132b）を通って第２風上ヘッダ集合管（345）の第６主連通空間（346f）へ、それぞれ流入する。
【０２１１】
各主連通空間（346a〜346f）の冷媒は、対応する風上主熱交換部（336a〜336f）の扁平管（31）へ流入する。第１主連通空間（346a）の冷媒は、第１風上主熱交換部（336a）の扁平管（31）へ流入する。第２主連通空間（346b）の冷媒は、第２風上主熱交換部（336b）の扁平管（31）へ流入する。第３主連通空間（346c）の冷媒は、第３風上主熱交換部（336c）の扁平管（31）へ流入する。第４主連通空間（346d）の冷媒は、第４風上主熱交換部（336d）の扁平管（31）へ流入する。第５主連通空間（346e）の冷媒は、第５風上主熱交換部（336e）の扁平管（31）へ流入する。第６主連通空間（346f）の冷媒は、第６風上主熱交換部（336f）の扁平管（31）へ流入する。
【０２１２】
各風上主熱交換部（336a〜336f）の扁平管（31）を流れる冷媒は、室外熱交換器（23）へ供給された室外空気と熱交換する。各風上主熱交換部（336a〜336f）の複数の扁平管（31）を通過した冷媒は、第１風上ヘッダ集合管（340）の上側空間（342）へ入って合流し、その後にガス側接続管（102）を通って室外熱交換器（23）から流出してゆく。
【０２１３】
以上の構成により、実施形態３では、室外熱交換器（23）が蒸発器として機能する際に、風上補助熱交換領域（337）と風下補助熱交換領域（367）と風下主熱交換領域（365）と風上主熱交換領域（335）とが直列に接続され、風下主熱交換領域（365）と風上主熱交換領域（335）との間において、各熱交換領域（335,365）の熱交換部（336a〜336f,366a〜366c）の数が、倍増する。つまり、室外熱交換器（23）が蒸発器として機能する際に、下流側の風上主熱交換領域（335）の熱交換部（336a〜336f）の数は六つであり、上流側の風下主熱交換領域（365）の熱交換部（366a〜366c）の数（三つ）よりも多く、倍数となっている。
【０２１４】
−実施形態３の効果−
本実施形態３の室外熱交換器（23）によれば、蒸発器として機能する際に、最下流の風上主熱交換領域（335）の熱交換部（336a〜336f）の数が、最上流の風上補助熱交換領域（337）の熱交換部（338a〜338c）の数よりも多くなるように構成することとした。これに伴い、風上主熱交換領域（335）の熱交換部の数が風上補助熱交換領域（337）の熱交換部の数と同数である場合に比べて、風上主熱交換領域（335）の連通空間（346a〜346f）の数が多くなるため、各連通空間（346a〜346f）に連通する扁平管（31）の数が少なくなり、該連通空間（346a〜346f）の高さが低くなる。室外熱交換器（23）が蒸発器として機能する際に、最下流の風上主熱交換領域（335）の各連通空間（346a〜346f）では最も偏流が生じ易いが、上述のように、風上主熱交換領域（335）の各連通空間（346a〜346f）の高さを低減することで、ガス冷媒と液冷媒とが分離され難くなり、偏流が生じ難くなる。従って、本実施形態３の室外熱交換器（23）によれば、蒸発器として機能する際に冷媒の偏流が最も生じ易い最下流の風上主熱交換領域（335）の各連通空間（346a〜346f）において冷媒の偏流を抑制することができるため、室外熱交換器（23）の性能を十分に発揮させることができる。
【０２１５】
また、上記室外熱交換器（23）が蒸発器として機能する際に、冷媒の流入量が少ない場合には、複数の扁平管（31）に冷媒を分流する連通空間において特に冷媒が偏流し易くなる。そのため、上述のような構成によれば、冷媒の流入量が少ない場合に、偏流を抑制して室外熱交換器（23）の性能を十分に発揮させる効果がより顕著となる。
【０２１６】
また、本実施形態３の室外熱交換器（23）によれば、蒸発器として機能する際に互いに直列に接続される風下主熱交換領域（365）と風上主熱交換領域（335）との間に、上流側の風下主熱交換領域（365）の各熱交換部（366a〜366c）と下流側の風上主熱交換領域（335）の互いに異なる二つの熱交換部（336a〜336f）とを接続する接続用分岐配管（分岐管）（110,120,130）を設けることとした。そのため、室外熱交換器（23）が蒸発器として機能する際に、下流側の風上主熱交換領域（335）の方が上流側の風下主熱交換領域（365）よりも熱交換部の数が多い構成を容易に実現することができる。
【０２１７】
ところで、室外熱交換器（23）が蒸発器として機能する際に、各熱交換領域（335,337,365,367）において、下側に配置された熱交換部（336a,338a,366a,368a）ほど、液冷媒が多く流入し易い。一方、連通空間に連通する扁平管（31）の数が増えると、連通空間の高さが増大するため、連通する扁平管（31）の数が多い連通空間は、連通する扁平管（31）の数が少ない連通空間に比べて、室外熱交換器（23）が蒸発器として機能する際に偏流が生じ易くなる。
【０２１８】
そこで、本実施形態３の室外熱交換器（23）では、熱交換領域（335,365）の複数の熱交換部（336a〜336f,366a〜366c）の間で扁平管（31）の数が異なる場合に、扁平管（31）の数が多く、室外熱交換器（23）が蒸発器として機能する際に、連通空間（346a,372a）において冷媒の偏流が生じ易い熱交換部（336a,366a）を、液冷媒が多く流入し易い下側に配置することとしている。そのため、室外熱交換器（23）が蒸発器として機能する際に冷媒の偏流が生じ易い熱交換部（336a,366a）の連通空間（346a,372a）に液冷媒が多く流入するため、該連通空間（346a,372a）における冷媒の偏流を抑制することができる。従って、室外熱交換器（23）の性能を十分に発揮させることができる。
【０２１９】
なお、上記実施形態３の室外熱交換器（23）は、風上補助熱交換領域（337）の風上補助熱交換部（338a〜338c）の数と、風下補助熱交換領域（367）の風下補助熱交換部（368a〜368c）の数と、風下主熱交換領域（365）の風下主熱交換部（366a〜366c）の数とが同数になるように構成されていた。しかしながら、上記実施形態３の室外熱交換器（23）において、蒸発器として機能する際に、最上流の熱交換領域から最下流の熱交換領域に向かって熱交換部の数が段階的に増大するように構成してもよい。例えば、風上補助熱交換領域（337）を二つの風上補助熱交換部に区分し、風下補助熱交換領域（367）及び風下主熱交換領域（365）をそれぞれ四つの熱交換部（風下補助熱交換部、風下主熱交換部）に区分し、風上主熱交換領域（335）を八つの風上主熱交換領域（335）熱交換部に区分することとしてもよい。このような構成によれば、室外熱交換器（23）が蒸発器として機能する際に、下流側の熱交換領域（335）ほど偏流が生じ易くなるところ、連通空間の数が、最上流の熱交換領域（337）から最下流の熱交換領域（335）に向かって徐々に多くなるため、各連通空間から扁平管（31）へ流入する冷媒の偏流を効果的に抑制することができる。従って、室外熱交換器（23）の性能を十分に発揮させることができる。
【０２２０】
また、実施形態３の室外熱交換器（23）では、熱交換器ユニット（30）を二つ設けることとしたため、扁平管（31）の総数が、実施形態１の室外熱交換器（23）に比べて大幅に多くなる。そのため、実施形態１の室外熱交換器（23）に比べて熱交換容量を増大させることができる。
【０２２１】
ところで、上述のように、扁平管（31）の総数を増大させて熱交換容量を増大させる場合に、熱交換器ユニット（30）を複数設けるのではなく、一つの熱交換器ユニット（30）内において扁平管（31）の総数を増やすことも可能である。しかしながら、設置箇所によっては室外熱交換器（23）の高さがある程度の高さに制限される場合がある。よって、このような場合に、一つの熱交換器ユニット（30）内において扁平管（31）の総数を増やすのではなく、実施形態３のように、熱交換器ユニット（30）を複数設けて扁平管（31）の総数を増やすことにより、室外熱交換器（23）の高さを低く抑えることができる。
【０２２２】
《その他の実施形態》
上記各実施形態の室外熱交換器（23）では、蒸発器として機能する際に互いに接続される二つの熱交換領域であって、上流側よりも下流側の方が熱交換部の数が多い二つの熱交換領域（35,37）（135,235）（335,365）において、下流側の熱交換領域（35）（135）（335）の熱交換部の数が、上流側の熱交換領域（37）（235）（365）の熱交換部の数の二倍となるように構成していた。しかしながら、室外熱交換器（23）が蒸発器として機能する際に、下流側の熱交換領域の熱交換部の数を上流側の熱交換領域の熱交換部の数より多くする構成はこれに限られず、下流側の熱交換領域（35）（135）（335）の熱交換部の数が、上流側の熱交換領域（37）（235）（365）の熱交換部の数の三倍以上の倍数となるように構成することとしてももちろんよい。その場合、例えば、分岐管部を三つ以上有する接続用分岐配管（110,120,130）を用いればよい。
【０２２３】
また、上記各実施形態の室外熱交換器（23）では、分岐管（接続用分岐配管（110,120,130））を用いて二つの熱交換領域（35,37）（135,235）（335,365）を接続することにより、蒸発器として機能する際に、下流側の熱交換領域（35）（135）（335）の方が上流側の熱交換領域（37）（235）（365）よりも熱交換部の数が多くなるように構成していた。しかしながら、室外熱交換器（23）が蒸発器として機能する際に、下流側の熱交換領域の熱交換部の数を上流側の熱交換領域の熱交換部の数より多くする構成はこれに限られない。例えば、分岐管を用いずに、各連通空間に分流構造を設けることとしてもよい。
【０２２４】
また、上記各実施形態の室外熱交換器（23）には、板状のフィン（32）に代えて波形のフィンが設けられていてもよい。このフィンは、いわゆるコルゲートフィンであって、上下に蛇行する波形に形成されている。そして、この波形のフィンは、上下に隣り合った扁平管（31）の間に一つずつ配置される。
【産業上の利用可能性】
【０２２５】
以上説明したように、本発明は、扁平管とフィンを有して冷媒と空気を熱交換させる熱交換器について有用である。
【符号の説明】
【０２２６】
１０                  空気調和機
２０                  冷媒回路
２３                  室外熱交換器（熱交換器）
３０                  熱交換器ユニット
３１                  扁平管
３２                  フィン
３５                  主熱交換領域（熱交換領域）
３６ａ〜３６ｆ        第１〜第６主熱交換部（熱交換部）
３７                  補助熱交換領域（熱交換領域）
３８ａ〜３８ｃ        第１〜第３補助熱交換部（熱交換部）
４０                  第１ヘッダ集合管
７０                  第２ヘッダ集合管
７５ａ〜７５ｆ        第１〜第６主連通空間（連通空間）
７７ａ〜７７ｃ        第１〜第３補助連通空間（連通空間）
１１０、１２０、１３０  第１、第２、第３接続用分岐配管（分岐管）
１３５                  上側主熱交換領域（熱交換領域）
１３６ａ〜１３６ｆ      第１〜第６上側主熱交換部（熱交換部）
１４２ａ〜１４２ｆ      第１〜第６上側主連通空間（連通空間）
１４３ａ〜１４３ｃ      第１〜第３下側主連通空間（連通空間）
１７３ａ〜１７３ｃ      第１〜第３下側主連通空間（連通空間）
２３５                  下側主熱交換領域（熱交換領域）
２３６ａ〜２３６ｃ      第１〜第３下側主熱交換部（熱交換部）
３３５                  風上主熱交換領域（熱交換領域）
３３６ａ〜３３６ｆ      第１〜第６風上主熱交換部（熱交換部）
３３７                  風上補助熱交換領域（熱交換領域）
３３８ａ〜３３８ｃ      第１〜第３風上補助熱交換部（熱交換部）
３４０                  第１風上ヘッダ集合管（第１ヘッダ集合管）
３４５                  第２風上ヘッダ集合管（第２ヘッダ集合管）
３４６ａ〜３４６ｆ      第１〜第６主連通空間（連通空間）
３４７ａ〜３４７ｃ      第１〜第３補助連通空間（連通空間）
３６５                  風下主熱交換領域（熱交換領域）
３６６ａ〜３６６ｃ      第１〜第３風下主熱交換部（熱交換部）
３６７                  風下補助熱交換領域（熱交換領域）
３６８ａ〜３６８ｃ      第１〜第３風下補助熱交換部（熱交換部）
３７０                  第１風下ヘッダ集合管（第１ヘッダ集合管）
３７２ａ〜３７２ｃ      第１〜第３主連通空間（連通空間）
３７３ａ〜３７３ｃ      第１〜第３補助連通空間（連通空間）
３８０                  第２風下ヘッダ集合管（第２ヘッダ集合管）
３８２ａ〜３８２ｃ      第１〜第３主連通空間（連通空間）
３８３ａ〜３８３ｃ      第１〜第３補助連通空間（連通空間）
【図１】
2015055404.tif 000003
【図２】
2015055404.tif 000004
【図３】
2015055404.tif 000005
【図４】
2015055404.tif 000006
【図５】
2015055404.tif 000007
【図６】
2015055404.tif 000008
【図７】
2015055404.tif 000009
【図８】
2015055404.tif 000010
【図９】
2015055404.tif 000011
【図１０】
2015055404.tif 000012
【図１１】
2015055404.tif 000013